(57)【要約】  イヤホンセットホルダーは、イヤホンセットを衣服及び／又は他の物品に固定するのに使用される。イヤホンセットホルダーは、イヤホンセットの磁石吸着可能部分と着脱可能に結合する磁石を備えている。幾つかの実施形態では、イヤホンセットホルダーは、電子機器の動作を制御する電子機器制御装置をさらに備えている。電子機器制御装置は、小型イヤホンとイヤホンセットホルダー本体の１つ以上の磁石吸着可能面との結合状態に基づき、電子機器を動作させる電子機器作動回路に信号を送り出すように構成されている。幾つかの実施形態では、電子機器制御装置は、電子機器の動作を制御する。電子機器制御装置は、ホルダー本体からの信号に応じて、電子機器を動作させる電子機器作動回路に信号を送り出すように構成されている。【選択図】図２２
2015513387.tif 000002
【特許請求の範囲】
【請求項１】
ａ．１つ以上の磁石を有するホルダー本体と、
ｂ．上記１つ以上の磁石と着脱可能に結合する磁石吸着可能面を有するイヤホンセットと
を備えることを特徴とするイヤホンセット保持システム。
【請求項２】
上記ホルダー本体は、物品の第１の部分を上記物品の第２の部分に離脱可能に結合する開閉機構であることを特徴とする請求項１記載のイヤホンセット保持システム。
【請求項３】
上記ホルダー本体は、スナップ、ボタン、離脱可能クリップ、ジッパー、及び面ファスナーの１つ又はそれ以上であることを特徴とする請求項１記載のイヤホンセット保持システム。
【請求項４】
上記ホルダー本体は、ネックレス、ブローチ、イヤリング、ブレスレット、及びサングラス用のストラップの１つ又はそれ以上を含むアクセサリー品であることを特徴とする請求項１記載のイヤホンセット保持システム。
【請求項５】
上記磁石吸着可能面は、着脱可能でないことを特徴とする請求項１記載のイヤホンセット保持システム。
【請求項６】
上記磁石吸着可能面は、着脱可能であることを特徴とする請求項１記載のイヤホンセット保持システム。
【請求項７】
１つ以上の追加磁石をさらに備えることを特徴とする請求項１記載のイヤホンセット保持システム。
【請求項８】
上記イヤホンセットのコードを離脱可能に保持する１つ以上の溝をさらに備えることを特徴とする請求項１記載のイヤホンセット保持システム。
【請求項９】
上記磁石吸着可能面は、上記イヤホンセットのコードに取り付けられることを特徴とする請求項１記載のイヤホンセット保持システム。
【請求項１０】
ａ．ホルダー本体と、
ｂ．１つ以上の磁石吸着可能面と
を備えることを特徴とするイヤホンセットホルダー。
【請求項１１】
上記ホルダー本体は、ジッパーつまみ、留金、装飾品、バックル接続機構、又は宝飾品を含むことを特徴とする請求項１０記載のイヤホンセットホルダー。
【請求項１２】
上記１つ以上の磁石吸着可能面は、１つ以上の磁石を備えることを特徴とする請求項１０記載のイヤホンセットホルダー。
【請求項１３】
上記１つ以上の磁石吸着可能面は、小型イヤホンの金属部分と着脱可能に結合するように構成されていることを特徴とする請求項１２記載のイヤホンセットホルダー。
【請求項１４】
上記１つ以上の磁石吸着可能面は、上記ホルダー本体に組み込み又は嵌め込まれていることを特徴とする請求項１０記載のイヤホンセットホルダー。
【請求項１５】
上記ホルダー本体は、イヤホンセットのコードを離脱可能に保持する１つ以上の溝を有することを特徴とする請求項１０記載のイヤホンセットホルダー。
【請求項１６】
ａ．磁石吸着可能面をイヤホンセットに結合し、
ｂ．上記イヤホンセットを固定するために、上記磁石吸着可能面を追加物品に結合された磁石に結合すること
を含むことを特徴とするイヤホンセットの固定方法。
【請求項１７】
上記追加物品は、ジッパーつまみ、留金、装飾品、バックル接続機構、又は宝飾品を含むことを特徴とする請求項１６記載のイヤホンセットの固定方法。
【請求項１８】
上記追加物品は、ネックレス、ブローチ、イヤリング、ブレスレット、及びサングラス用のストラップの１つ又はそれ以上を含むアクセサリー品であることを特徴とする請求項１６記載のイヤホンセットの固定方法。
【請求項１９】
上記１つ以上の磁石吸着可能面は、１つ以上の磁石を備えることを特徴とする請求項１６記載のイヤホンセットの固定方法。
【請求項２０】
上記１つ以上の磁石吸着可能面は、上記追加物品に組み込み又は嵌め込まれていることを特徴とする請求項１６記載のイヤホンセットの固定方法。
【請求項２１】
上記追加物品は、上記イヤホンセットのコードを離脱可能に保持する１つ以上の溝を備えることを特徴とする請求項１６記載のイヤホンセットの固定方法。
【請求項２２】
ａ．ホルダー本体と、
ｂ．上記ホルダー本体に取り付けられた１つ以上の磁石吸着可能面と、
ｃ．小型イヤホン係合検出器と、
ｄ．イヤホンに結合された電子機器を制御する電子機器制御装置と
を備えることを特徴とするイヤホンセットホルダー。
【請求項２３】
上記イヤホンの磁石は、上記１つ以上の磁石吸着可能面と着脱可能に結合することを特徴とする請求項２２記載のイヤホンセットホルダー。
【請求項２４】
上記磁石吸着可能面は、１つ以上の磁石を備え、上記イヤホンの金属部分と着脱可能に結合することを特徴とする請求項２２記載のイヤホンセットホルダー。
【請求項２５】
上記電子機器制御装置は、上記イヤホンが上記ホルダー本体から分離されたとき、上記電子機器を作動するように構成されていることを特徴とする請求項２２記載のイヤホンセットホルダー。
【請求項２６】
上記電子機器制御装置は、上記イヤホンが上記ホルダー本体に結合されたとき、上記電子機器を停止するように構成されていることを特徴とする請求項２２記載のイヤホンセットホルダー。
【請求項２７】
上記ホルダー本体は、当該イヤホンセットホルダーを追加物品に取り付ける機構を備えることを特徴とする請求項２２記載のイヤホンホルダー。
【請求項２８】
上記機構は、クリップであることを特徴とする請求項２７記載のイヤホンセットホルダー。
【請求項２９】
上記ホルダー本体は、ジッパーつまみ、留金、装飾品、バックル接続機構、又は宝飾品を含むことを特徴とする請求項２２記載のイヤホンセットホルダー。
【請求項３０】
上記ホルダー本体は、上記イヤホンの本体と着脱可能に結合する１つ以上の凹部を備えることを特徴とする請求項２２記載のイヤホンセットホルダー。
【請求項３１】
上記イヤホンのコードを離脱可能に収納する溝をさらに備えることを特徴とする請求項２２記載のイヤホンセットホルダー。
【請求項３２】
ｉ．ヘッドセットコードを保持する溝と、
ｉｉ．１つ以上の磁石吸着可能面と、
ｉｉｉ．電子機器制御装置と、
ｉｖ．小型イヤホン係合検出器とを有する
ａ．イヤホンセットホルダー本体と、
ｂ．イヤホンに結合される１つ以上の磁石を有するイヤホンセットと
を備えることを特徴とするイヤホンセット保持システム。
【請求項３３】
上記１つ以上の磁石吸着可能面は、１つ以上の磁石を備えることを特徴とする請求項３２記載のイヤホンセット保持システム。
【請求項３４】
上記電子機器制御装置は、電子機器作動回路に信号を送り出すことで、電子機器を作動及び／又は停止するように構成されていることを特徴とする請求項３２記載のイヤホンセット保持システム。
【請求項３５】
上記電子機器制御装置は、上記イヤホンが上記イヤホンセットホルダー本体の上記１つ以上の磁石吸着可能面から分離されたとき、上記電子機器作動回路に信号を送り出して上記電子機器を作動することを特徴とする請求項３４記載のイヤホンセット保持システム。
【請求項３６】
上記電子機器制御装置は、上記イヤホンが上記イヤホンセットホルダー本体の上記１つ以上の磁石吸着可能面に結合されたとき、上記電子機器作動回路に信号を送り出して上記電子機器を停止することを特徴とする請求項３４記載のイヤホンセット保持システム。
【請求項３７】
上記イヤホンセットホルダー本体は、追加物品に取り付ける機構をさらに備えることを特徴とする請求項３２記載のイヤホンセット保持システム。
【請求項３８】
上記機構は、クリップであることを特徴とする請求項３７記載のイヤホンセット保持システム。
【請求項３９】
上記イヤホンセットホルダー本体は、ジッパーつまみ、留金、装飾品、バックル接続機構、又は宝飾品を含むことを特徴とする請求項３２記載のイヤホンセット保持システム。
【請求項４０】
上記イヤホンセットホルダー本体は、ネックレス、ブローチ、イヤリング、ブレスレット、及びサングラス用のストラップの１つ又はそれ以上を含むアクセサリー品を備えることを特徴とする請求項３２記載のイヤホンセット保持システム。
【請求項４１】
上記イヤホンセットホルダー本体は、上記イヤホンの本体と着脱可能に結合する１つ以上の凹部をさらに備えることを特徴とする請求項３２記載のイヤホンセット保持システム。
【請求項４２】
ａ．小型イヤホンの係合状態を検出し、
ｂ．上記小型イヤホンの係合状態に基づき、電子機器に信号を送り出し、
ｃ．上記小型イヤホンの係合状態に基づき、上記電子機器が動作すること
を含むことを特徴とする電子機器の動作方法。
【請求項４３】
上記電子機器を作動することを特徴とする請求項４２記載の電子機器の動作方法。
【請求項４４】
上記電子機器を停止することを特徴とする請求項４２記載の電子機器の動作方法。
【請求項４５】
ａ．ホルダー本体と、
ｂ．上記ホルダー本体に取り付けられ、イヤホンセットと着脱可能に結合する１つ以上の磁石吸着可能面と、
ｃ．タッチセンサーと、
ｄ．タッチセンサー検出器と、
ｅ．電子機器を制御する電子機器制御装置と
を備えることを特徴とするイヤホンセット保持システム。
【請求項４６】
当該イヤホンセット保持システムは、上記電子機器と無線通信することを特徴とする請求項４５記載のイヤホンセット保持システム。
【請求項４７】
小型イヤホン係合検出器をさらに備えることを特徴とする請求項４５記載のイヤホンセット保持システム。
【請求項４８】
上記タッチセンサー検出器は、上記タッチセンサーからの信号を受け取り、上記電子機器制御装置に信号を送り出すことを特徴とする請求項４５記載のイヤホンセット保持システム。
【請求項４９】
上記タッチセンサー検出器は、上記電子機器制御装置に信号を送り出して、上記タッチセンサーが、タップ、ダブルタップ、又はスワイプされたことを通知することを特徴とする請求項４８記載のイヤホンセット保持システム。
【請求項５０】
上記電子機器制御装置は、上記タッチセンサー検出器からの信号に基づき、上記電子機器に信号を送り出して、上記電子機器を動作させることを特徴とする請求項４８記載のイヤホンセット保持システム。
【請求項５１】
上記タッチセンサー検出器は、上記電子機器に信号を送り出して、上記電子機器を作動又は停止させることを特徴とする請求項５０記載のイヤホンセット保持システム。
【請求項５２】
電子機器と通信するイヤホンセットホルダーであって、
ｉ．タッチセンサーと、
ｉｉ．イヤホンセットと着脱可能に結合する１つ以上の磁石吸着可能面とを有する
ａ．イヤホンセットホルダー本体を備え、
上記タッチセンサーは、当該イヤホンセットホルダーに結合された電子機器を制御することを特徴とするイヤホンセットホルダー。
【請求項５３】
上記イヤホンセットは、当該イヤホンセットホルダーのイヤホンジャックに結合されることを特徴とする請求項５２記載のイヤホンセットホルダー。
【請求項５４】
上記電子機器は、当該イヤホンセットホルダーに無線結合されることを特徴とする請求項５２記載のイヤホンセットホルダー。
【請求項５５】
小型イヤホン係合検出器をさらに備えることを特徴とする請求項５２記載のイヤホンセットホルダー。
【請求項５６】
上記電子機器を制御するために、上記タッチセンサーは、タップ、ダブルタップ、又はスワイプされることを特徴とする請求項５２記載のイヤホンセットホルダー。
【請求項５７】
追加物品に取り付ける取付機構をさらに備えることを特徴とする請求項５２記載のイヤホンセットホルダー。
【請求項５８】
上記取付機構は、クリップであることを特徴とする請求項５７記載のイヤホンセットセットホルダー。
【請求項５９】
ａ．イヤホンセットと着脱可能に結合する１つ以上の磁石を備えるイヤホンセットホルダー本体に配置されたタッチセンサーにタッチし、
ｂ．タッチセンサー検出器に信号を送り出し、
ｃ．上記タッチセンサー検出器に送り出された信号に基づき、電子機器に信号を送り出すこと
を含むことを特徴とする電子機器の動作方法。
【請求項６０】
上記タッチセンサーは、タップ、ダブルタップ、又はスワイプされることを特徴とする請求項５９記載の電子機器の動作方法。
【請求項６１】
上記タッチセンサー検出器は、上記タッチセンサーから信号を受け取り、電子機器制御装置に信号を送り出すことを特徴とする請求項５９記載の電子機器の動作方法。
【請求項６２】
上記電子機器は、上記タッチセンサーにタッチすることで動作することを特徴とする請求項５９記載の電子機器の動作方法。
【発明の詳細な説明】
【関連出願】
【０００１】
本出願は、米国特許法第１１９条（ｅ）により、２０１２年２月２２日に出願された同時係属中の米国仮特許出願第６１／６０１，７２２号（発明の名称「マグネチックイヤホンセットホルダー」）、２０１２年７月１３日に出願された同時係属中の米国仮特許出願第６１／６７１，５７２号（発明の名称「マグネチックイヤホンセットホルダー」）、２０１２年１０月１０日に出願された同時係属中の米国仮特許出願第６１／７１２，１３６号（発明の名称「マグネチックイヤホンセットホルダー」）の優先権を主張し、これらの全てをここで参照として援用する。
【技術分野】
【０００２】
本発明は、イヤホンホルダーに関する。より詳しくは、本発明は、イヤホンセットの保持に用いるマグネチックイヤホンホルダーに関する。
【背景技術】
【０００３】
ヘッドセットコードは、音楽プレーヤーや携帯電話等のソースデバイスからユーザーが装着しているイヤホンセットに信号を送り出す。これらのヘッドセットコードは、一般的に可撓性があり、ユーザーは、邪魔にならない所で操作できるが、ユーザーが行うこのような操作は不便なことがある。ヘッドセットコードは、決まって望ましくない位置に戻ろうとするので、しばしば非効率的であることが多い。その上、使用していないとき固定しないと、イヤホンセットは、望ましくない不便な位置で、だらりと垂れ下がり、絡まって縺れることが多い。また、ユーザーが作業を完了して動き回ると、ヘッドセットコードが、ソースデバイスから格納場所に信号を送り出している場合、イヤホンセットは、ユーザーの耳から前後に度々移動する。
【発明の概要】
【発明が解決しようとする課題】
【０００４】
本出願は、イヤホンセットを衣服及び／又は他の物への取り付けに用いるイヤホンセットホルダーに関する。ｉＰｏｄ，ｉＰｈｏｎｅ用イヤホンセット、又はその他の類似携帯電話やＭＰ３プレーヤー又は音楽プレーヤーを含む、いかなる種類のイヤホンセットでも取り付け可能である。イヤホンセットホルダーは、イヤホンセットの磁石吸着可能部分と着脱可能に結合する磁石、小型イヤホンやコードの内部又は上部に組み込まれた追加磁石、又は小型イヤホンやコードを備えている。磁石は、ジッバーつまみ、バックル、衣服、バッグ、及びその他の物に縫い付け、ピン留め、又はクリップ留めできる物を含む、様々な物にデザイン又は一体成形可能である。幾つかの実施形態では、イヤホンセットホルダー本体は、電子機器の動作を制御する電子機器制御装置をさらに備えている。電子機器制御装置は、イヤホンセットホルダー本体の１つ以上の磁石吸着可能面からイヤホンが分離されたとき、電子機器を作動し、イヤホンセットホルダー本体の１つ以上の磁石吸着可能面にイヤホンが結合されたとき、電子機器を停止する電子機器作動回路に信号を送り出すように構成されている。さらなる実施形態では、電子機器制御装置は、電子機器の動作を制御する。特に、電子機器制御装置は、イヤホンセットホルダー本体からの信号に応じて、電子装置を動作させる電子機器作動回路に信号を送り出すように構成されている。
【課題を解決するための手段】
【０００５】
一態様では、イヤホンセット保持システムは、１つ以上の磁石を有するホルダー本体と、１つ以上の磁石と着脱可能に結合する磁石吸着可能面を有するイヤホンセットとを備えている。幾つかの実施形態では、ホルダー本体は、物品の第１の部分を物品の第２の部分に離脱可能に結合する開閉機構である。さらなる実施形態では、ホルダー本体は、スナップ、ボタン、離脱可能クリップ、ジッパー、及び面ファスナーシステムの１つ又はそれ以上である。また、さらなる実施形態では、ホルダー本体は、ネックレス、ブローチ、イヤリング、ブレスレット、及びサングラス用のストラップの１つ又はそれ以上を含むアクセサリー品である。幾つかの実施形態では、磁石吸着可能面は着脱可能ではない。さらなる実施形態では、磁石吸着可能面は着脱可能である。幾つかの実施形態では、イヤホンセット保持システムは、１つ以上の追加磁石をさらに備えている。幾つかの実施形態では、イヤホンセット保持システムは、イヤホンセットのコードを離脱可能に保持する１つ以上の溝をさらに備えている。幾つかの実施形態では、磁石吸着可能面は、イヤホンセットのコードに取り付けられる。
【０００６】
別の態様では、イヤホンセットホルダーは、ホルダー本体と、１つ以上の磁石吸着可能面とを備えている。幾つかの実施形態では、ホルダー本体は、ジッパーつまみ、留金、装飾品、バックル接続機構、又は宝飾品を含む。幾つかの実施形態では、１つ以上の磁石吸着可能面は、１つ以上の磁石を備えている。さらなる実施形態では、１つ以上の磁石吸着可能面は、小型イヤホンの金属部分と着脱可能に結合するように構成されている。幾つかの実施形態では、１つ以上の磁石吸着可能面は、ホルダー本体内部に組み込み又は嵌め込まれている。幾つかの実施形態では、ホルダー本体は、イヤホンセットのコードを離脱可能に保持する１つ以上の溝を有する。
【０００７】
さらなる態様では、イヤホンセットの固定方法は、磁石吸着可能面をイヤホンセットに結合し、イヤホンセットを固定するために、磁石吸着可能面を追加物品に結合された磁石に結合することを含む。幾つかの実施形態では、追加物品は、ジッパーつまみ、留金、装飾品、バックル接続機構、又は宝飾品を含む。さらなる実施形態では、追加物品は、ネックレス、ブローチ、イヤリング、ブレスレット、及びサングラス用のストラップの１つ又はそれ以上を含むアクセサリー品である。幾つかの実施形態では、１つ以上の磁石吸着可能面は、１つ以上の磁石を備えている。幾つかの実施形態では、１つ以上の磁石吸着可能面は、追加物品に組み込み又は嵌め込まれている。さらなる実施形態では、追加物品は、イヤホンセットのコードを離脱可能に保持する１つ以上の溝を備えている。
【０００８】
イヤホンセットホルダーは、ホルダー本体と、ホルダー本体に取り付けられた１つ以上の磁石吸着可能面と、小型イヤホン係合検出器と、イヤホンに結合された電子機器を制御する電子機器制御装置とを備えている。幾つかの実施形態では、イヤホンの磁石は、１つ以上の磁石吸着可能面と着脱可能に結合する。幾つかの実施形態では、磁石吸着可能面は、１つ以上の磁石を備え、イヤホンの金属部分と着脱可能に結合する。さらなる実施形態では、電子機器制御装置は、イヤホンがホルダー本体から分離されたとき、電子機器を作動するように構成されている。またさらなる実施形態では、電子機器制御装置は、イヤホンがホルダー本体に結合されたとき、電子機器を停止するように構成されている。幾つかの実施形態では、ホルダー本体は、イヤホンセットホルダーを追加物品に取り付ける機構を備えている。これらの実施形態の幾つかでは、この機構は、クリップである。幾つかの実施形態では、ホルダー本体は、ジッパーつまみ、留金、装飾品、バックル接続機構、又は宝飾品を含む。幾つかの実施形態では、ホルダー本体は、イヤホン本体と着脱可能に結合する１つ以上の凹部を備えている。幾つかの実施形態では、イヤホンセットホルダーは、イヤホンのコードを離脱可能に収容する溝をさらに備えている。
【０００９】
別の態様では、イヤホンセット保持システムは、ヘッドセットコードを保持する溝と、１つ以上の磁石吸着可能面と、電子機器制御装置と、小型イヤホン係合検出器とを有するイヤホンセットホルダー本体と、イヤホンに結合される１つ以上の磁石を有するイヤホンセットとを備えている。幾つかの実施形態では、１つ以上の磁石吸着可能面は、１つ以上の磁石を備えている。幾つかの実施形態では、電子機器制御装置は、電子機器作動回路に信号を送り出すことで、電子機器を作動及び／又は停止するように構成されている。幾つかの実施形態では、電子機器制御装置は、イヤホンがイヤホンセットホルダー本体の１つ以上の磁石吸着可能面から分離されたとき、電子機器作動回路に信号を送り出して電子機器を作動する。さらなる実施形態では、電子機器制御装置は、イヤホンがイヤホンセットホルダー本体の１つ以上の磁石吸着可能面に結合されたとき、電子機器作動回路に信号を送り出して電子機器を停止するように構成されている。幾つかの実施形態では、イヤホンセットホルダー本体は、追加物品に取り付ける機構をさらに備えている。これら実施形態の幾つかでは、この機構は、クリップである。幾つかの実施形態では、イヤホンセットホルダー本体は、ジッパーつまみ、留金、装飾品、バックル接続機構、又は宝飾品を含む。さらなる実施形態では、イヤホンセットホルダー本体は、ネックレス、ブローチ、イヤリング、ブレスレット、及びサングラス用のストラップの１つ又はそれ以上を含むアクセサリー品を含む。幾つかの実施形態では、イヤホンセットホルダー本体は、イヤホンの本体と着脱可能に結合する１つ以上の凹部をさらに備えている。
【００１０】
さらなる態様では、電子機器の動作方法は、小型イヤホンの係合状態を検出し、小型イヤホンの係合状態に基づき、電子機器に信号を送り出し、小型イヤホンの係合状態に基づき、電子機器が動作することを含む。幾つかの実施形態では、電子機器を作動する。さらなる実施形態では、電子機器を停止する。
【００１１】
イヤホンセット保持システムは、ホルダー本体と、ホルダー本体に取り付けられ、イヤホンセットと着脱可能に結合する１つ以上の磁石吸着可能面と、タッチセンサーと、タッチセンサー検出器と、電子機器を制御する電子機器制御装置とを備えている。幾つかの実施形態では、このイヤホンセット保持システムは、電子機器と無線通信する。幾つかの実施形態では、このイヤホンセット保持システムは、小型イヤホン係合検出器をさらに備えている。幾つかの実施形態では、タッチセンサー検出器は、タッチセンサーから信号を受け取り、電子機器制御装置に信号を送り出す。これらの実施形態の幾つかでは、タッチセンサー検出器は、電子機器制御装置に信号を送り出して、タッチセンサーが、タップ、ダブルタップ、又はスワイプされたことを通知する。特に、電子機器制御装置は、タッチセンサー検出器からの信号に基づき、電子機器に信号を送り出して、電子機器を動作させる。幾つかの実施形態では、タッチセンサー検出器は、電子機器に信号を送り出して、電子機器を作動又は停止させる。
【００１２】
別の態様では、イヤホンセットホルダーは、電子機器と通信をするイヤホンセットホルダーであって、タッチセンサーと、イヤホンセットと着脱可能に結合する１つ以上の磁石吸着可能面とを有するイヤホンセットホルダー本体を備え、タッチセンサーは、イヤホンセットホルダーに結合された電子機器を制御する。幾つかの実施形態では、イヤホンセットは、イヤホンセットホルダーのイヤホンジャックに結合される。幾つかの実施形態では、電子機器は、イヤホンセットホルダーに無線結合される。さらなる実施形態では、イヤホンホルダーは、小型イヤホン係合検出器をさらに備えている。幾つかの実施形態では、電子機器を制御するため、タッチセンサーは、タップ、ダブルタップ、又はスワイプされる。幾つかの実施形態では、イヤホンセットホルダーは、追加物品に取り付ける取付機構をさらに備えている。これらの実施形態の幾つかでは、取付機構は、クリップである。
【００１３】
別の態様では、電子機器の動作方法は、イヤホンセットと着脱可能に結合する１つ以上の磁石を備えるイヤホンセットホルダー本体に設置されたタッチセンサーをタッチし、タッチセンサー検出器に信号を送り出し、タッチセンサー検出器に送り出された信号に基づき、電子機器に信号を送り出すことを含む。幾つかの実施形態では、タッチセンサーは、タップ、ダブルタップ、又はスワイプされる。幾つかの実施形態では、タッチセンサー検出器は、タッチセンサーから信号を受け取り、電子機器制御装置に信号を送り出す。さらなる実施形態では、電子機器は、タッチセンサーにタッチすることで動作する。
【図面の簡単な説明】
【００１４】
【図１】図１は、本発明の原理によるジッパーつまみの本体に組み込まれた磁石を有するイヤホンセットホルダーの実施形態を示す図である。
【図２Ａ】図２Ａは、本発明の原理によるプラスチック製のシャツスナップの表面に組み込まれた磁石を有するイヤホンセットホルダーの実施形態を示す図である。
【図２Ｂ】図２Ｂは、本発明の原理によるプラスチック製のシャツスナップの表面に組み込まれた磁石を有するイヤホンセットホルダーの実施形態を示す図である。
【図３Ａ】図３Ａは、幾つかの実施形態による装飾品の本体に組み込まれた磁石を有するイヤホンセットホルダーの実施形態を示す図である。
【図３Ｂ】図３Ｂは、幾つかの実施形態による装飾品の本体に組み込まれた磁石を有するイヤホンセットホルダーの実施形態を示す図である。
【図３Ｃ】図３Ｃは、幾つかの実施形態による装飾品の本体に組み込まれた磁石を有するイヤホンセットホルダーの実施形態を示す図である。
【図３Ｄ】図３Ｄは、幾つかの実施形態による装飾品の本体に組み込まれた磁石を有するイヤホンセットホルダーの実施形態を示す図である。
【図４】図４は、幾つかの実施形態によるジッパーつまみに組み込まれた磁石を有するイヤホンセットホルダーの実施形態を示す図である。
【図５Ａ】図５Ａは、幾つかの実施形態によるサングラス用のストラップに結合した本体に組み込まれた磁石を有するイヤホンセットホルダーの実施形態を示す図である。
【図５Ｂ】図５Ｂは、幾つかの実施形態によるサングラス用のストラップに結合した本体に組み込まれた磁石を有するイヤホンセットホルダーの実施形態を示す図である。
【図５Ｃ】図５Ｃは、幾つかの実施形態によるサングラスに結合した本体に組み込まれた磁石を有するイヤホンセットホルダーの実施形態を示す図である。
【図５Ｄ】図５Ｄは、幾つかの実施形態によるサングラスに結合した本体に組み込まれた磁石を有するイヤホンセットホルダーの実施形態を示す図である。
【図５Ｅ】図５Ｅは、幾つかの実施形態によるサングラスに結合した本体に組み込まれた磁石を有するイヤホンセットホルダーの実施形態を示す図である。
【図５Ｆ】図５Ｆは、幾つかの実施形態によるサングラスの本体に組み込まれた磁石を有するイヤホンセットホルダーの実施形態を示す図である。
【図５Ｇ】図５Ｇは、幾つかの実施形態によるサングラスの本体に組み込まれた磁石を有するイヤホンセットホルダーの実施形態を示す図である。
【図６Ａ】図６Ａは、本発明の原理によるバッグとリュックサックに用いられたサイドスクィーズバックル(side squeeze buckle)の前面に組み込まれた磁石を有するイヤホンセットホルダーの実施形態を示す図である。
【図６Ｂ】図６Ｂは、本発明の原理によるバッグとリュックサックに用いられたサイドスクィーズバックルの前面に組み込まれた磁石を有するイヤホンセットホルダーの実施形態を示す図である。
【図６Ｃ】図６Ｃは、幾つかの実施形態によるスポーツヘルメットに結合された離脱可能クリップに組み込まれた磁石を有するイヤホンセットホルダーの実施形態を示す図である。
【図６Ｄ】図６Ｄは、幾つかの実施形態によるスポーツヘルメットに結合された離脱可能クリップに組み込まれた磁石を有するイヤホンセットホルダーの実施形態を示す図である。
【図７Ａ】図７Ａは、幾つかの実施形態による本体に組み込まれた磁石を有するイヤホンセットホルダーの実施形態を示す図である。
【図７Ｂ】図７Ｂは、幾つかの実施形態による本体に組み込まれた磁石を有するイヤホンセットホルダーの実施形態を示す図である。
【図８Ａ】図８Ａは、幾つかの実施形態による宝飾品に組み込まれた磁石を有するイヤホンセットホルダーの実施形態を示す図である。
【図８Ｂ】図８Ｂは、幾つかの実施形態による宝飾品に組み込まれた磁石を有するイヤホンセットホルダーの実施形態を示す図である。
【図９】図９は、幾つかの実施形態による識別面に組み込まれた磁石を有するイヤホンセットホルダーの実施形態を示す図である。
【図１０Ａ】図１０Ａは、幾つかの実施形態によるジッパーつまみに組み込まれた磁石と溝を有するイヤホンセットホルダーの実施形態を示す図である。
【図１０Ｂ】図１０Ｂは、幾つかの実施形態によるイヤホンに着脱可能に結合された磁石吸着可能面の拡大図を示す図である。
【図１１】図１１は、幾つかの実施形態によるマグネチックイヤホン及びコード保持システムを示す図である。
【図１２Ａ】図１２Ａは、幾つかの実施形態によるマグネチックイヤホン及びコード保持システムを示す図である。
【図１２Ｂ】図１２Ｂは、幾つかの実施形態によるマグネチックイヤホン及びコード保持システムを示す図である。
【図１３】図１３は、幾つかの実施形態によるマグネチックイヤホン及びコード保持システムの構成部品の概略図を示す図である。
【図１４】図１４は、幾つかの実施形態による電子機器を作動及び／又は停止する方法を示す図である。
【図１５】図１５は、幾つかの実施形態によるマグネチックイヤホン保持システムを示す図である。
【図１６】図１６は、幾つかの実施形態によるマグネチックイヤホン保持システムを示す図である。
【図１７】図１７は、幾つかの実施形態によるマグネチックイヤホン保持システムを示す図である。
【図１８】図１８は、幾つかの実施形態によるマグネチックイヤホン保持システムを示す図である。
【図１９Ａ】図１９Ａは、幾つかの実施形態によるマグネチックイヤホン保持システムを示す図である。
【図１９Ｂ】図１９Ｂは、幾つかの実施形態によるマグネチックイヤホン保持システムを示す図である。
【図１９Ｃ】図１９Ｃは、幾つかの実施形態によるマグネチックイヤホン保持システムを示す図である。
【図１９Ｄ】図１９Ｄは、幾つかの実施形態によるマグネチックイヤホン保持システムを示す図である。
【図１９Ｅ】図１９Ｅは、幾つかの実施形態によるマグネチックイヤホン保持システムを示す図である。
【図２０】図２０は、幾つかの実施形態によるマグネチックイヤホン保持システムを示す図である。
【図２１】図２１は、幾つかの実施形態によるマグネチックイヤホン保持システムのブロック図を示す図である。
【図２２】図２２は、幾つかの実施形態によるマグネチックイヤホン保持システムを示す図である。
【図２３】図２３は、幾つかの実施形態によるマグネチックイヤホン及びコード保持システムの構成部品の概略図を示す図である。
【図２４】図２４は、幾つかの実施形態による電子機器を作動及び／又は停止する方法を示す図である。
【発明を実施するための形態】
【００１５】
以下の説明は、本発明の幾つかの実施形態に関するものである。ここでの説明は、例示した好適な実施形態に関するものである。しかし、本発明の範囲は、図示した好適な実施形態にも、ここで説明した実施例にも限定されず、むしろ、本発明の範囲は、本明細書の特許請求の範囲の各請求項の文言に基づき、できるだけ広く解釈すべきである。
【００１６】
この開示は、本発明の幾つかの実施形態を示す。実施例のどの特徴も、他の実施形態のどの特徴とも組み合わせることができる。このように、例示した実施形態のハイブリッド構成は、十分に本発明の範囲内にある。
【００１７】
次に、図１を参照して、イヤホンセットホルダー１００の第１の実施形態を説明する。イヤホンセットホルダー１００は、ジッパーつまみ１５０の本体１１５に嵌め込み又は一体成形された磁石１１０を備えている。ジッパーつまみ１５０は、バッグ又はジャケットやシャツ等の衣料品に結合されるように構成されている。幾つかの実施形態では、本体１１５は、バッグ又は衣料品の第１の部分を、バッグ又は衣料品の第２の部分から離脱可能に結合可能な開閉機構として動作するように構成されている。例えば、幾つかの実施形態では、本体１１５は、バッグや衣料品のジッパートラックを収容し、一緒に離脱可能に結合するために、対向側壁に形成された溝（channel）（図示せず）を有している。幾つかの実施形態では、本体１１５が取り付けられたバッグ又は衣料品の一部に沿って本体１１５の移動を容易にするため、つまみ１４０が、本体１１５に結合されている。
【００１８】
磁石１１０は、本体１１５に一体成形若しくは組み込まれている。幾つかの実施形態では、磁石１１０は、つまみ１４０を囲む鋳型上のプラスチック内に入れる又は嵌め込まれている。幾つかの実施形態では、１つ以上の追加磁石が、本体１１５に結合されている。磁石１１０は、イヤホンセット１７５を収容し、離脱可能に固定するように構成されている。図１に示すように、幾つかの実施形態では、磁石１１０は、イヤホンセット１７５の小型イヤホンの磁石吸着可能部分と着脱可能に結合する。幾つかの実施形態では、イヤホンセット１７５及び／又はコード１６５は、磁石１１０と着脱可能に結合する磁石又は磁石吸着可能面を備えている。イヤホンセットホルダー１００は、ユーザーのｉＰｏｄ又はその他の電子機器に接続されたイヤホンセット１７５を保持する。
【００１９】
図２Ａ〜２Ｂは、プラスチックの表面又はさらなる実施形態による金属留金に一体成形された磁石２１０を有するイヤホンセットホルダー２００の実施形態を示す。留金は、図２Ｂに示すように、シャツ２６０又は別の衣料品やバッグに用いることができる。
【００２０】
シャツスナップは、互いに離脱可能に結合するように構成された雄スナップ２３５と雌スナップ２４５とを備えている。例えば、幾つかの実施形態では、雄スナップ２３５は、雌スナップ２４５の穴にしっかりと嵌め込むように構成された飾りボタン２４０を備えている。穴の周囲は、ソケット縁２５０の内周と雌スナップ２４５の基部２５５により画定される。幾つかの実施形態では、ソケット縁２５０は、基部２５５よりも穴方向にさらに延在し、飾りボタン２４０の端部は、飾りボタン２４０の基部よりも直径が大きい。この構成において、穴に挿入されたとき、飾りボタン２４０の端部は、所定の位置に嵌め込まれ、ソケット縁２５０により誤って取り外されないよう固定される。
【００２１】
シャツスナップは、磁石２１０を備えている。幾つかの実施形態では、磁石２１０は、雄スナップ２３５又は雌スナップ２４５内に嵌め込まれる。他の実施形態では、磁石２１０は、雄スナップ２３５又は雌スナップ２４５に取り付けられた別の部品である。例えば、図２Ａは、雄スナップ２３５から分離された磁石２１０を有するイヤホンセットホルダー２００の分解図を示す。磁石２１０は、雄スナップ２３５の穴にしっかりと嵌め込まれる本体２１５を備えている。幾つかの実施形態では、磁石２１０（留金の一部として）は、衣料品又はバッグの第１の部分を衣料品又はバッグの第２の部分に離脱可能に結合可能な開閉機構として動作するように構成されている。
【００２２】
磁石２１０は、本体２１５に一体成形若しくは組み込まれている。磁石２１０は、イヤホンセット２７５を収容し、離脱可能に固定するように構成されている。幾つかの実施形態では、磁石２１０は、イヤホンセット２７５の磁石吸着可能部分と着脱可能に結合する（図２Ｂ）。幾つかの実施形態では、イヤホンセット２７５及び／又はコード２６５は、磁石２１０と着脱可能に結合する磁石又は磁石吸着可能面を備えている。図２Ｂは、ユーザーのシャツ２６０のシャツ留金として使用されているイヤホンセットホルダー２００を示す。イヤホンセットホルダー２００は、ユーザーのｉＰｏｄ２７０に接続されたイヤホンセット２７５を保持している。
【００２３】
図３Ａ〜３Ｄは、幾つかの実施形態による装飾品に一体成形された磁石３１０を有するイヤホンホルダー３００，３０５を示す。幾つかの実施形態では、装飾品は、図３Ａ〜３Ｂに示す星形や図３Ｃ〜３Ｄに示す月形等の機能的構造と無関係な審美性を有する装飾アクセサリーである。前図に示すボタンとジッパーは、機能的構造と無関係な審美性を有していないので、これらは装飾品ではない。しかしながら、もしそれらの機能性に全く無関係なある種の審美形状を持つように変更したならば、装飾品になると考えることができる。
【００２４】
装飾品は、シャツ３６０等の、バッグや衣料品に離脱可能に固定されるように構成された本体３１５を備えている。幾つかの実施形態では、本体３１５は、その基部から延在するピン３３５を備えている。ピン３３５は、バッグ又は衣料品を貫通するように構成されている。幾つかの実施形態では、１つ以上のフランジ３４０は、ピン３３５の端部に近接して配置され、バッグや衣料品への装飾品の取り付けを容易にする。幾つかの実施形態では、バッグ又は衣料品に装飾品をしっかりと取り付けるために、リリース（release）３５０を有する留め金３４５は、装飾品と共に設けられている。
【００２５】
磁石３１０は、本体３１５に一体成形若しくは組み込まれている。磁石３１０は、イヤホンセット３７５を収容し、離脱可能に固定するように構成されている。幾つかの実施形態では、磁石３１０は、イヤホンセット３７５の磁石吸着可能部分と着脱可能に結合する（図３Ｂ）。幾つかの実施形態では、イヤホンセット３７５及び／又はコード３６５は、磁石３１０と着脱可能に結合する磁石又は磁石吸着可能面を備えている。図３Ａは、ユーザーのシャツ３６０に取り付けられたイヤホンホルダー３００を示す。イヤホンホルダー３００は、ユーザーのｉＰｏｄ３７０に接続されたイヤホンセット３７５を保持する。
【００２６】
図３Ｄは、取付用のピン３３５を用いる本体３１５を示しているが、本体３１５は、バッグや衣料品に本体３１５自身を離脱可能に固定する他の手段を用いることができる。例えば、幾つかの実施形態では、本体３１５は、本発明の原理による磁石接続機構を用いる。
【００２７】
図４は、さらなる実施形態によるジッパーヘッドに結合されるように構成され本体４１５に一体成型された磁石４１０を有するイヤホンセットホルダー４００の実施形態を示す。
【００２８】
図４に示すように、本体４１５は、ジッパーヘッド４５０に結合されている。イヤホンセットホルダー４００は、本体４１５に結合されたつまみ４４０を備えている。図４に示すように、幾つかの実施形態では、つまみ４４０は、本体４１５の中心を通るコードである。幾つかの実施形態では、つまみ４４０は、本体４１５を開口４８０に結合するコードである。幾つかの実施形態では、本体４１５は、木、ガラス、及び金属の１つ又はそれ以上を備えている。
【００２９】
本体４１５は、磁石４１０を備えている。幾つかの実施形態では、磁石４１０は、本体４１５内に嵌め込まれている。他の実施形態では、磁石４１０は、本体４１５に取り付けられた別の部品である。図４に示すように、磁石４１０は、本体４１５に一体成形若しくは組み込まれている。磁石４１０は、イヤホンセット４７５を収容し、離脱可能に固定するように構成されている。幾つかの実施形態では、磁石４１０は、イヤホン４７５の磁石吸着可能部分に着脱可能に結合する。幾つかの実施形態では、図４に示すように、イヤホン４７５は、磁石４１０と着脱可能に結合する磁石又は磁石吸着可能面４２５も備えている。これらの実施形態では、磁石又は磁石吸着可能面４２５は、イヤホン４７５又はヘッドセットコード４６５の構成部品であっても良い。幾つかの実施形態では、磁石又は磁石吸着可能面４２５は、イヤホン４７５又はヘッドセットコード４６５に沿ってスライド可能である。しかしながら、当業者に明らかなように、磁石又は磁石吸着可能面４２５は、イヤホン４７５又はヘッドセットコード４６５に固定して又は着脱可能に接続可能である。図４にも示すように、幾つかの実施形態では、イヤホンセットホルダー４００は、１つ以上の追加磁石４１０’を備えている。幾つかの実施形態では、ユーザーは、ヘッドセットコード４６５又はイヤホン４７５をそれぞれ対応する磁石４１０と着脱可能に結合可能である。代替方法として、幾つかの実施形態では、ユーザーは、ヘッドセットコード４６５又はイヤホン４７５の両側を磁石４１０の１つとのみ結合可能である。
【００３０】
図５Ａ〜５Ｅは、さらなる実施形態によるイヤホンホルダー５００を示す。図５Ａ，５Ｂに示すように、幾つかの実施形態では、イヤホンホルダー５００は、一体成形された磁石５１０を有する本体５１５を備えている。本体５１５は、サングラス又は度付き眼鏡用のストラップに結合されるように構成されている。幾つかの実施形態では、ストラップ５７０は、本体５１５内の開口５８０を通過する。しかしながら、本体５１５は、従来から周知であるクリップ又はその他の機構を通ってストラップと結合可能である。図５Ａ，５Ｂに示すように、ストラップ５７０の両側は、イヤホンホルダー５００の本体５１５を備えている。しかしながら、幾つかの実施形態では、イヤホンホルダー５００は、ストラップ５７０の片側にのみ結合されている。幾つかの実施形態では、イヤホンホルダー５００の本体５１５は、一体成形されたプラスチック、硬質プラスチック、発泡体、及びゴムの１つ又はそれ以上を含む。幾つかの実施形態では、イヤホンホルダー５００の本体５１５は、木、ガラス、及び金属の１つ又はそれ以上を備えている。
【００３１】
図５Ｃ〜５Ｅに示すように、幾つかの実施形態では、本体５１５’と本体５１５’’は、眼鏡フレーム５０１と着脱可能に結合されるように構成されている。幾つかの実施形態では、本体５１５’と本体５１５’’内の開口５８０は、眼鏡フレーム５０１の眼鏡のつる５０３上をスライドする。従って、眼鏡のつる５０３に沿った所望の構成になるまで、ユーザーは、本体５１５’と本体５１５’’をスライド可能である。当業者に明らかなように、本体５１５’と本体５１５’’は、従来から周知の機構により、眼鏡フレーム５０１と結合可能である。例えば、幾つかの実施形態では、本体５１５’と本体５１５’’は、面ファスナーシステムとクリップの１つ又はそれ以上により眼鏡フレーム５０１と結合する。眼鏡フレーム５０１は、サングラスと度付き眼鏡又はその２つの組み合わせを備えることができる。幾つかの実施形態では、イヤホンホルダー５００の本体５１５’と本体５１５’’は、一体成形されたプラスチック、硬質プラスチック、発泡体、及びゴムの１つ又はそれ以上を含む。幾つかの実施形態では、イヤホンホルダー５００の本体５１５’と本体５１５’’は、木、ガラス、及び金属の１つ又はそれ以上から成る。
【００３２】
図５Ｄに示すように、幾つかの実施形態では、磁石５１０は、本体５１５‘に沿って垂直方向に配置されている。代替方法として、図５Ｅに示すように、幾つかの実施形態では、磁石５１０は、本体５１５’’に沿って水平方向に配置されている。幾つかの実施形態では、本体５１５’と本体５１５’’は、１つ以上の追加磁石５１０’を備えている。
【００３３】
図５Ｆ，５Ｇは、本体と、ヘッドセットコードを直接収容及び離脱可能に固定する本体内の磁石５１０とを備えるイヤホンホルダー５００を示している。幾つかの実施形態では、磁石５１０は、眼鏡フレーム５０１に組み込まれている。
【００３４】
図５Ｆ，５Ｇに示すように、幾つかの実施形態では、磁石５１０は、眼鏡フレーム５０１の眼鏡のつる５０３の上部に組み込まれている。代替方法として、幾つかの実施形態では、図５Ｆ，５Ｇに示すように、幾つかの実施形態では、磁石５１０は、眼鏡フレーム５０１の眼鏡のつる５０３の側面に組み込まれている。幾つかの実施形態では、磁石５１０は、眼鏡のつる５０３に沿って垂直方向に配置されている。代替方法として、幾つかの実施形態では、磁石５１０は、眼鏡のつる５０３に沿って水平方向に配置されている。特に、磁石５１０は、眼鏡のつる５０３に沿った任意の位置に配置可能である。幾つかの実施形態では、眼鏡フレーム５０１は、１つ以上の追加磁石を備えている。
【００３５】
図５Ａ〜５Ｇにさらに示すように、磁石５１０は、イヤホンセットを収容し、離脱可能に固定するように構成されている。幾つかの実施形態では、磁石５１０は、イヤホン５７５の磁石吸着可能部分に着脱可能に結合する。幾つかの実施形態では、図５Ｇに示すように、イヤホン５７５は、磁石５１０と着脱可能に結合する磁石又は磁石吸着可能面５２５も備えている。これらの実施形態では、磁石又は磁石吸着可能面５２５は、イヤホン５７５又はヘッドセットコード５６５の構成部品であっても良い。幾つかの実施形態では、磁石又は磁石吸着可能面５２５は、イヤホン５７５又はヘッドセットコード５６５に沿ってスライド可能である。しかしながら、当業者に明らかなように、磁石又は磁石吸着可能面５２５は、イヤホン５７５又はヘッドセットコード５６５に固定して接続可能である。幾つかの実施形態では、ユーザーは、ヘッドセットコード５６５又はイヤホン５７５をそれぞれ対応する磁石５１０と着脱可能に結合可能である。代替方法として、幾つかの実施形態では、ユーザーは、ヘッドセットコード５６５又はイヤホン５７５の両側を磁石５１０の１つとのみ結合可能である。
【００３６】
図６Ａ〜６Ｂは、幾つかの実施形態によるバッグ又はリュックサックに用いられるサイドスクィーズバックル（side squeeze buckle）の前面上に一体成形された磁石を有するイヤホンセットホルダー６００の一実施形態を示す。図６Ａ、６Ｂは、イヤホンセットホルダー６００の正面図と側面図とをそれぞれ示す。
【００３７】
サイドスクィーズバックルは、バックルストラップ又は帯ひも（webbing）６４０に結合された雌バックル端部６１５と、バックルストラップ又は帯ひも６４５に結合された雄バックル端部６３５とを備えている。雌バックル端部６１５は、雄バックル６３５を収容し、離脱可能に保持するように構成されている。幾つかの実施形態では、雌バックル端部６１５又は雄バックル端部６３５のいずれかは、磁石６１０を備えている。幾つかの実施形態では、磁石６１０は、図６Ａ、６Ｂから分かるように、雌バックル端部６１５又は雄バックル端部６３５のいずれから突出している。幾つかの実施形態では、磁石６１０は、バックル端部の残部から突出しておらず、むしろバックル端部の残部と同一平面である。また、他の実施形態では、磁石６１０は、バックル端部と一体的に形成され、他の実施形態では、本体は、バックル端部に取り付けられた別の部品である。幾つかの実施形態では、イヤホンセットホルダー６００は、第１のストラップと第１のストラップが取り付けられた物品を、第２のストラップと第２のストラップが取り付けられた物品に離脱可能に結合可能な開閉機構として動作するように構成されている。例えば、幾つかの実施形態では、磁石６１０は、ストラップ６４０を介してバッグの第１の部分に結合された雌バックル端部６１５の一部である。雌バックル端部６１５は、雄バックル端部６３５と結合する。雄バックル端部６３５は、ストラップ６４５を介してバッグの第２の部分と結合する。
【００３８】
磁石６１０は、イヤホンセットを収容し、離脱可能に固定するように構成されている。幾つかの実施形態では、磁石６１０は、イヤホンの磁石吸着可能部分と着脱可能に結合する。幾つかの実施形態では、イヤホンは、磁石６１０と着脱可能に結合する磁石又は磁石吸着可能面も備えている。これらの実施形態では、磁石又は磁石吸着可能面は、イヤホン又はヘッドセットコードの構成部品であっても良い。幾つかの実施形態では、磁石又は磁石吸着可能面は、イヤホン又はヘッドセットコードに沿ってスライド可能である。しかしながら、当業者に明らかなように、磁石又は磁石吸着可能面は、イヤホン又はヘッドセットコードと固定して接続可能である。幾つかの実施形態では、イヤホンセットホルダー６００は、１つ以上の追加磁石を備えている。幾つかの実施形態では、ユーザーは、ヘッドセットコード又はイヤホンをそれぞれ対応する磁石と着脱可能に結合可能である。代替方法として、幾つかの実施形態では、ユーザーは、ヘッドセットコード又はイヤホンの両側を磁石の１つとのみ結合可能である。
【００３９】
図６Ｃ，６Ｄは、さらなる実施形態によるイヤホンセットホルダー６００を示す。図６Ｃ，６Ｄに示すように、イヤホンセットホルダー６００は、図６Ａ，６Ｂに関して説明したように、離脱可能クリップ又はサイドスクィーズバックルの前面に一体成形された磁石６１０を有する本体を備えている。離脱可能クリップは、スポーツヘルメットに取り付けるように構成されている。
【００４０】
離脱可能クリップ６１５，６３５の両端は、ストラップ６４５，６４０によりスポーツヘルメットに結合される。図６Ｄに示すように、離脱可能クリップ６１５，６３５は、自転車ヘルメット６６０に結合される。しかしながら、離脱可能クリップ６１５，６３５は、従来から周知である任意のスポーツヘルメットに結合可能である。例えば、幾つかの実施形態では、離脱可能クリップ６１５，６３５は、スキーヘルメット、自転車ヘルメット、オートバイヘルメット、又はその他のスポーツヘルメットの１つ又はそれ以上に結合される。
【００４１】
磁石６１０は、離脱可能クリップ６１５，６３５に組み込み若しくは嵌め込まれている。磁石６１０は、イヤホンセットを収容し、離脱可能に固定するように構成されている。幾つかの実施形態では、磁石６１０は、イヤホンの磁石吸着可能部分と着脱可能に結合する。幾つかの実施形態では、イヤホンは、磁石６１０と着脱可能に結合する磁石又は磁石吸着可能面も備えている。磁石６１０は、イヤホンセットを収容し、離脱可能に固定するように構成されている。幾つかの実施形態では、磁石６１０は、イヤホンの磁石吸着可能部分と着脱可能に結合する。幾つかの実施形態では、イヤホンは、磁石６１０と着脱可能に結合する磁石又は磁石吸着可能面も備えている。これらの実施形態では、磁石又は磁石着脱可能面は、イヤホン又はヘッドセットコードの構成部品であっても良い。幾つかの実施形態では、磁石又は磁石吸着可能面は、イヤホン又はヘッドセットコードに沿ってスライド可能である。しかしながら、当業者に明らかなように、磁石又は磁石吸着可能面は、イヤホン又はヘッドセットコードに固定して接続可能である。幾つかの実施形態では、イヤホンセットホルダー６００は、１つ以上の追加磁石を備えている。幾つかの実施形態では、ユーザーは、ヘッドセットコード又はイヤホンをそれぞれ対応する磁石６１０と着脱可能に結合可能である。代替方法として、幾つかの実施形態では、ユーザーは、ヘッドセットコード又はイヤホンの両側を磁石６１０の１つとのみ結合可能である。
【００４２】
図７Ａ，７Ｂは、さらなる実施形態によるヘッドセットコードホルダー７００を示す。
【００４３】
図７Ａ，７Ｂに示すように、磁石７１０を備える本体７１５は、バックパック７０５の胸骨ストラップ（sternum strap）７２０と結合している。幾つかの実施形態では、磁石７１０は、バックパック７０５のアームストラップに結合している。しかしながら、本体７１５は、従来から周知であるバックパック７０５の任意の部分と結合可能である。幾つかの実施形態では、本体７１５は、バックパック７０５の胸骨ストラップ７２０と着脱可能に結合する。幾つかの実施形態では、本体７１５は、面ファスナーシステムとスナップの１つ又はそれ以上により胸骨ストラップ７２０と着脱可能に結合する。しかしながら、本体７１５は、従来から周知の任意の機構によりバックパック７０５と着脱可能に結合可能である。幾つかの実施形態では、本体７１５は、ランバーパック（lumbar pack）、スポーツバッグ、及びアームバンドの１つ又はそれ以上と追加結合可能である。
【００４４】
図７Ａ，７Ｂに示すように、磁石７１０は、イヤホンセットを収容し、離脱可能に固定するように構成されている。幾つかの実施形態では、磁石７１０は、イヤホンの磁石吸着可能部分と着脱可能に結合する。幾つかの実施形態では、イヤホンは、磁石７１０と着脱可能に結合する磁石又は磁石吸着可能面を備えている。幾つかの実施形態では、磁石又は磁石吸着可能面は、イヤホン又はヘッドセットコードの構成部品であっても良い。幾つかの実施形態では、磁石又は磁石吸着可能面は、イヤホン又はヘッドセットコードに沿ってスライド可能である。しかしながら、当業者に明らかなように、磁石又は磁石吸着可能面は、イヤホン又はヘッドセットコードに固定して接続可能である。幾つかの実施形態では、ヘッドセットコードホルダー７００は、１つ以上の追加磁石を備えている。幾つかの実施形態では、ユーザーは、ヘッドセットコード又はイヤホンをそれぞれ対応する磁石７１０と着脱可能に結合可能である。代替方法として、幾つかの実施形態では、ユーザーは、ヘッドセットコード又はイヤホンの両側を磁石７１０の１つとのみ結合可能である。
【００４５】
図８Ａ，８Ｂは、幾つかの実施形態によるイヤホントセットホルダー８００を示す。イヤホンセットホルダー８００は、宝飾品８７０の一部である本体８１５に一体成形又は組み込まれた磁石８１０を有する本体８１５を備えている。
【００４６】
幾つかの実施形態では、宝飾品８７０の一部は、少なくとも１つの追加物品と結合するように構成されている。例えば、図８Ａ，８Ｂに示すように、本体８１５は、ネックレス８７０を含むビーズ鎖（a strand of beads）の宝飾ビーズ８６０を備えている。幾つかの実施形態では、宝飾品８７０は、ブローチ、イヤリング、ブレスレット、又はサングラス用のストラップの１つ又はそれ以上である。しかしながら、本体８１５は、従来から周知である宝飾品８７０に一体成形又は組み込み可能である。代替方法として、幾つかの実施形態では、１つ以上の追加磁石は、本体８１５又は宝飾品８７０の他の部分に一体成形可能である。
【００４７】
図８Ａ，８Ｂに示すように、磁石８１０は、イヤホンセットを収容し、離脱可能に固定するように構成されている。幾つかの実施形態では、磁石８１０は、イヤホンの磁石吸着可能部分と着脱可能に結合する。幾つかの実施形態では、イヤホンは、磁石８１０と着脱可能に結合する磁石又は磁石吸着可能面も備えている。これらの実施形態では、磁石又は磁石吸着可能面は、イヤホン又はヘッドセットコードの構成部品であっても良い。幾つかの実施形態では、磁石又は磁石吸着可能面は、イヤホン又はヘッドセットコードに沿ってスライド可能である。しかしながら、当業者に明らかなように、磁石又は磁石吸着可能面は、イヤホン又はヘッドセットコードに固定して接続可能である。幾つかの実施形態では、イヤホンセットホルダー８００は、１つ以上の追加磁石を備えている。幾つかの実施形態では、ユーザーは、ヘッドセットコード又はイヤホンをそれぞれ対応する磁石８１０と着脱可能に結合可能である。代替方法として、幾つかの実施形態では、ユーザーは、ヘッドセットコード又はイヤホンの両側を磁石８１０の１つとのみ結合可能である。
【００４８】
上述したように、図８Ａ，８Ｂにおいて、本体８１５は、ネックレス８７０を含むビーズ鎖の宝飾ビーズ８６０を備えている。幾つかの実施形態では、宝飾品８７０は、ブローチ、イヤリング、ブレスレット、又はサングラス用のストラップの１つ又はそれ以上である。しかしながら、本体８１５は、従来から周知である任意の宝飾品８７０と一体成形又は組み込み可能である。代替方法として、幾つかの実施形態では、１つ以上の追加磁石は、本体８１５又は宝飾品８７０の他の部分に一体成形可能である。
【００４９】
図９は、幾つかの実施形態による識別面９６０に組み込まれた磁石９１０を有するイヤホンセットホルダー９００の実施形態を示す。
【００５０】
イヤホンセットホルダー９００は、識別面９６０の一部である本体９０１と一体成形又は組み込まれた磁石９１０を有する本体９０１を備えている。本体９０１は、少なくとも追加物品に結合されるように構成されている。幾つかの実施形態では、本体９０１は、ゴム、プラスチック、及び金属の１つ又はそれ以上から成る。本体９０１は、縫い付け、リベット留め、加熱圧着、接着結合、又は化学的方法の１つ又はそれ以上により追加物品に取り付けられるように構成されている。幾つかの実施形態では、本体９０１は、追加物品に取り付ける追加面９１５を備えている。
【００５１】
磁石９１０は、イヤホンセットを収容し、離脱可能に固定するように構成されている。幾つかの実施形態では、磁石９１０は、イヤホンの磁石吸着可能部分と着脱可能に結合する。幾つかの実施形態では、イヤホンは、磁石９１０と着脱可能に結合する磁石又は磁石吸着可能面も備えている。これらの実施形態では、磁石又は磁石吸着可能面は、イヤホン又はヘッドセットコードの構成部品であっても良い。幾つかの実施形態では、磁石又は磁石吸着可能面は、イヤホン又はヘッドセットコードに沿ってスライド可能である。しかしながら、当業者に明らかなように、磁石又は磁石吸着可能面は、イヤホン又はヘッドセットコードと固定して接続可能である。幾つかの実施形態では、イヤホンセットホルダー９００は、１つ以上の追加磁石を備えている。幾つかの実施形態では、ユーザーは、ヘッドセットコード又はイヤホンをそれぞれ対応する磁石９１０と着脱可能に結合可能である。代替方法として、幾つかの実施形態では、ユーザーは、ヘッドセットコード又はイヤホンの両側を磁石９１０の１つとのみ結合可能である。
【００５２】
上述したように、本体９０１は、識別面９６０の一部を備え、追加物品に結合するように構成されている。特に、識別面９６０は、従来から周知である適切な物品と結合可能である。例えば、幾つかの実施形態では、識別面９６０は、バッグ又は衣料品と結合している。代替方法として、幾つかの実施形態では、識別面９６０は、キーチェーンやアームバンド等のアクセサリー品に結合される。幾つかの実施形態では、１つ以上の追加磁石は、本体９０１又は識別面９６０の他の部分に一体成形可能である。
【００５３】
図９にさらに示すように、溝９２０は、本体９０１に一体成形若しくは組み込まれる。溝９２０は、ヘッドセットコードを収容し、離脱可能なように構成される。幾つかの実施形態では、溝９２０は、ヘッドセットコードが溝９２０に到達することができる差込口空間９３５のみを残して、溝９２０の大部分を囲む溝壁９３０により画定される。幾つかの実施形態では、差込口空間９３５は、溝９２０とヘッドセットコードよりも直径が小さく、溝壁９３０の境界内にヘッドセットコードを固定するため、ヘッドセットコードの取り外しに多くの力を必要とする。幾つかの実施形態では、溝壁９３０の部分は可撓性があり、ヘッドセットコードを差込口空間９３５中に押し通すと、ヘッドセットコードは、溝壁９３０中を無理に通過しようとするので、差込口空間９３５の直径が一時的に大きくなる。その結果として、ヘッドセットコードは、差込口空間９３５を通過して溝９２０に到達できる。幾つかの実施形態では、溝壁９３０は十分に硬いので、ヘッドセットコードの外側スリーブが、溝壁９３０の端部間の差込口空間９３５を通過する時に、ヘッドセットコードの外側スリーブを強引に締め付ける。
【００５４】
磁石９１０と溝９２０を本体９０１の表面に設けることにより、ユーザーは、イヤホンを使用しながら、ヘッドセットコードを溝９２０内に離脱可能に固定して、使用中でないとき、イヤホンを本体９０１に磁石９１０によって固定可能である。
【００５５】
図１０Ａは、幾つかの実施形態による磁石と、ジッパーつまみに組み込まれた溝とを有するイヤホンセットホルダー１０００の実施形態を示す。
【００５６】
図１０Ａに示すように、本体１００１は、ジッパーヘッド１０５０に結合されている。イヤホンセットホルダー１０００は、本体１００１に結合されたつまみ１０４０を備えている。幾つかの実施形態では、つまみ１０４０は、本体１００１の中心を通るコードである。幾つかの実施形態では、つまみ１０４０は、本体１００１を開口１０８０に結合するコードである。幾つかの実施形態では、本体１００１は、木、ガラス、金属の１つ又はそれ以上から成る。
【００５７】
本体１００１は、磁石１０１０を備えている。幾つかの実施形態では、磁石１０１０は、本体１００１内に嵌め込まれている。他の実施形態では、磁石１０１０は、本体１００１に取り付けられた別の構成部品である。図１０Ａに示すように、磁石１０１０は、本体１００１と一体成形若しくは組み込まれている。磁石１０１０は、イヤホンセット１０７５を収容し、離脱可能に固定するように構成されている。幾つかの実施形態では、磁石１０１０は、イヤホン１０７５の磁石吸着可能部分と着脱可能に結合する。幾つかの実施形態では、図１０Ａに示すように、イヤホン１０７５は、イヤホン１０７５に結合される磁石又は磁石吸着可能面１０８５を備え、本体１００１内に組み込み又は嵌め込まれた磁石１０１０に小型イヤホンを固定する。これらの実施形態では、磁石又は磁石吸着可能面１０８５は、イヤホン１０７５又はヘッドセットコード１０６５の構成部品であっても良い。幾つかの実施形態では、磁石又は磁石吸着可能面１０８５は、イヤホン１０７５にスナップ留めするか、又は、その周囲に着脱可能に結合する。幾つかの実施形態では、磁石又は磁石吸着可能面１０８５は、イヤホン１０７５又はヘッドセットコード１０６５に沿ってスライド可能である。当業者に明らかなように、磁石又は磁石吸着可能面１０８５は、イヤホン１０７５又はヘッドセットコード１０６５に固定又は着脱可能に接続可能である。
【００５８】
図１０Ａにも示すように、溝１０２０は、本体１００１に一体成形若しくは組み込まれる。溝１０２０は、ヘッドセットコード１０６５を収容し、離脱可能に固定するように構成されている。幾つかの実施形態では、溝１０２０は、ヘッドセットコード１０６５が溝１０２０に到達することができる差込口空間のみを残して、溝１０２０の大部分を囲む溝壁１０３０により画定される。幾つかの実施形態では、差込口空間は、溝１０２０とヘッドセットコード１０６５よりも直径が小さく、溝壁１０３０の境界内にヘッドセットコード１０６５を固定するため、ヘッドセットコード１０６５の取り外しに多くの力を必要とする。幾つかの実施形態では、溝壁１０３０の部分は可撓性があり、ヘッドセットコード１０６５を差込口空間中に押し通すと、ヘッドセットコード１０６５は、溝壁１０３０中を無理に通過しようとするので、差込口空間の直径が一時的に大きくなる。その結果として、ヘッドセットコード１０６５は、差込口空間を通過して溝１０２０に到達できる。幾つかの実施形態では、溝壁１０３０は十分に硬いので、ヘッドセットコード１０６５の外側スリーブが、溝壁１０３０の端部間の差込口空間を通過する時に、ヘッドセットコード１０６５の外側スリーブを強引に締め付ける。
【００５９】
図１０Ｂは、幾つかの実施形態による磁石吸着可能面１０８５の拡大図を示す。上述したように、イヤホン１０７５を磁石１０１０に着脱可能に結合するために、磁石吸着可能面１０８５は、イヤホン１０７５又はヘッドセットコード１０６５と着脱可能に結合する。図１０Ｂに示すように、磁石吸着可能面１０８５は、イヤホン１０７５の周囲に嵌め込むほぼ円形状の本体を備えている。幾つかの実施形態では、磁石吸着可能面１０８５は、伸縮可能で、引き伸ばしてイヤホン１０７５上に取り付ける。幾つかの実施形態では、磁石吸着可能面１０８５は、磁石吸着可能面１０８５を開放し、イヤホン１０７５の周囲に結合できるようにする蝶番又は結合器１０８７を備えている。幾つかの実施形態では、磁石吸着可能面１０８５は、結合器１０８７の位置で開放し、イヤホン１０７５の周囲に配置され、スナップ嵌めして所定の位置に戻る。幾つかの実施形態では、磁石吸着可能面１０８５は、磁石吸着可能面１０８５をイヤホン１０７５と着脱可能に結合するために分離された２つの部分を備えている。特に、磁石吸着可能面１０８５は、従来から周知の任意の適切な機構によりイヤホン１０７５と着脱可能に結合可能である。また、磁石吸着可能面１０８５は、円形状の本体で示したが、磁石吸着可能面１０８５は、イヤホン１０７５と結合する任意の適切な形状を取ることが可能である。
【００６０】
幾つかの実施形態では、ユーザーは、ヘッドセットコード１０６５を溝１０２０内に配置し、イヤホン１０７５の磁石又は磁石吸着可能面１０８５を磁石１０１０と着脱可能に結合可能である。
【００６１】
幾つかの実施形態では、上述した１つ以上の磁石１０１０の形状は、細片（strip）、玉（ball bearing）、及び円板を含む組み合わせから選択される。さらなる実施形態では、１つ以上の磁石１０１０の少なくとも１つは、１つ以上のネオジム磁石とセラミック磁石を含む。
【００６２】
動作時、ユーザーは、イヤホンセットを用いて、電子機器でプログラムを視聴しながらヘッドセットコード１０６５を溝壁１０３０の境界内に配置する。これにより、ユーザーは、ヘッドセットコード１０６５内で絡まることなく、イヤホンセットを快適に使用することができる。そして、ユーザーは、電子機器でプログラムを視聴していないときは、イヤホン１０７５が磁石１０１０により引き付けられ、保持できるように、イヤホンセットを磁石の近くに配置する。また、これにより、イヤホン１０７５を使用するときも、使用中でないときも、ユーザーが、イヤホン１０７５を使い易い位置に配置できる。そのようにすることで、ユーザーは、イヤホン１０７５が縺れたり、ユーザーが引っ掛かったりするかもしれない状態になるイヤホン１０７５をぶら下がらせるのではなく、イヤホン１０７５を安全に固定することができる。その結果、イヤホンセットホルダー１０００は、電子機器を使用しながら、快適で使い易い位置にヘッドセットコード１０６５を保持する安価で簡便な方法を提供できるという利点を有する。従って、ここで説明したイヤホンセットホルダーは、数多くの利点を有している。
【００６３】
次に、図１１を参照して、マグネチックイヤホン及びコード保持システム１１００の実施形態をここで説明する。マグネチックイヤホン及びコード保持システム１１００は、イヤホンセットホルダー本体１１０１とイヤホンセット１１５０を備えている。イヤホンセット１１５０は、ｉＰｏｄ，ｉＰｈｏｎｅ，その他の任意の類似携帯電話又はスマートフォン，ＭＰ３プレーヤー又は音楽プレーヤー、ムービープレーヤー、又はその他の電子機器１１０５等の電子機器１１０５から信号を送り出す。当業者に明らかなように、イヤホンセット１１５０は、従来から周知の適切な電子機器１１０５から信号を送り出すことができる。例えば、幾つかの実施形態では、イヤホンセット１１５０は、ｉＰａｄ，スマートフォン、タブレットＰＣ，ＭＰ４プレーヤー、又はＤｉｖＸメディア形式プレーヤー等の電子メディアプレーヤーから信号を送り出す。
【００６４】
イヤホンセットホルダー本体１１０１は、ヘッドセットコード１１６５を収容し、離脱可能に固定する溝１１２０、イヤホンセット１１５０の１つ以上の磁石１１８５と着脱可能に結合する１つ以上の磁石吸着可能面１１１０、及び電子機器制御装置１１４０を備えている。幾つかの実施形態では、１つ以上の磁石吸着可能面１１１０は磁石である。これら実施形態の幾つかでは、磁石は、ネオジム磁石である。さらなる実施形態では、イヤホンセットホルダー本体１１０１は、小型イヤホン１１７５を保持する１つ以上の凹部１１１５を備えている。幾つかの実施形態では、小型イヤホン１１７５は、１つ以上の凹部１１１５に圧入される。幾つかの実施形態では、イヤホンセットホルダー本体１１０１は、ジッパーつまみ、留金、装飾品、バックル接続機構、又は宝飾品を含む本体と、本体に組み込み又は嵌め込まれた磁石とを備えている。特に、イヤホンセットホルダー本体１１０１は、２０１０年９月２７日に出願された米国特許出願第１２／８９１，５１０号に記載されたコードホルダー及び／又は２０１２年２月２２日に出願された米国仮特許出願第６１／６０１，７２２号に記載されたイヤホンセットホルダーを備えることができ、これらを参照としてここで援用する。幾つかの実施形態では、イヤホンセット１１５０は、ハンズフリー電話機アダプタの構成部品である。
【００６５】
溝１１２０が、イヤホンセットホルダー本体１１０１に一体成形若しくは埋め込まれている。溝１１２０は、ヘッドセットコード１１６５を収容し、離脱可能に固定するように構成されている。幾つかの実施形態では、溝１１２０は、ヘッドセットコード１１６５が溝１１２０に到達することができる差込口空間１１２４のみを残して、溝１１２０の大部分を囲む溝壁１１２２により画定される。幾つかの実施形態では、差込口空間１１２４は、溝１１２０とヘッドセットコード１１６５よりも直径が小さく、溝壁１１２２の境界内にヘッドセットコード１１６５を固定するため、ヘッドセットコード１１６５の取り外しに多くの力を必要とする。幾つかの実施形態では、溝壁１１２２の部分は可撓性があり、ヘッドセットコード１１６５を差込口空間１１２４中に押し通すと、ヘッドセットコード１１６５は、溝壁１１２２中を無理に通過しようとするので、差込口空間１１２４の直径が一時的に大きくなる。その結果として、ヘッドセットコード１１６５は、差込口空間１１２４を通過して溝１１２０に到達できる。幾つかの実施形態では、溝壁１１２２は十分に硬いので、ヘッドセットコード１１６５の外側スリーブが、溝壁１１２２の端部間の差込口空間１１２４を通過する時に、ヘッドセットコード１１６５の外側スリーブを強引に締め付ける。
【００６６】
磁石と溝１１２０をイヤホンセットホルダー本体１１０１表面に設けることで、ユーザーは、イヤホンセット１１５０を使用しながら、ヘッドセットコード１１６５を溝１１２０内に離脱可能に固定して、使用中でないとき、イヤホンセット１１５０をイヤホンセットホルダー本体１１０１に磁石によって固定可能である。１つ以上の磁石吸着可能面１１１０は、イヤホンセットホルダー本体１１０１に固定して又は着脱可能に接続可能である。
【００６７】
上述したように、１つ以上の磁石吸着可能面１１１０は、イヤホンセット１１５０の１つ以上の磁石１１８５と着脱可能に結合するように構成されている。幾つかの実施形態では、１つ以上の磁石１１８５が、１つ以上の磁石吸着可能面１１１０と着脱可能に結合されたとき、小型イヤホン１１７５の本体は、１つ以上の凹部１１１５に配置される。幾つかの実施形態では、１つ以上の凹部１１１５と小型イヤホン１１７５の本体は、連動構造を備えている。これらの実施形態では、小型イヤホン１１７５の本体は、イヤホンセットホルダー本体１１０１の１つ以上の凹部１１１５と圧入又はスナップ嵌めされる。
【００６８】
電子機器制御装置１１４０は、小型イヤホン係合検出器１１３０からの信号を受け取り、小型イヤホン係合検出器１１３０から受け取った信号に基づき、電子機器作動回路１１５５に信号を送り出す。電子機器作動回路１１５５は、電子機器制御装置１１４０から受け取った信号に基づき、電子機器１１０５を動作させる。幾つかの実施形態では、小型イヤホン係合検出器１１３０は、電子機器制御装置１１４０に信号を送り出して、１つ以上の磁石１１８５と小型イヤホン１１７５が、イヤホンセットホルダー本体１１０１から分離されていることを通知する。これらの実施形態では、小型イヤホン係合検出器１１３０から信号を受け取ると、電子機器制御装置１１４０は、電子機器作動回路１１５５に信号を送り出して、電子機器１１０５を作動させる。幾つかの実施形態では、小型イヤホン係合検出器１１３０は、電子機器制御装置１１４０に信号を送り出して、１つ以上の磁石１１８５と小型イヤホン１１７５が、イヤホンセットホルダー本体１１０１と結合されていることを通知する。これらの実施形態では、小型イヤホン係合検出器１１３０から信号を受け取ると、電子機器制御装置１１４０は、電子機器作動回路１１５５に信号を送り出して、電子機器１１０５を停止させる。
【００６９】
さらなる実施形態では、電子機器制御装置１１４０は、電子機器作動回路１１５５に信号を送り出して、異なった方法で電子機器１１０５を動作させる。例えば、幾つかの実施形態では、小型イヤホン係合検出器１１３０から信号を受け取ると、電子機器制御装置１１４０は、電子機器作動回路１１５５に信号を送り出して、電子機器１１０５からの信号の音量を調節する。また、幾つかの実施形態では、電子機器制御装置１１４０は、アプリケーションへの信号又は電子機器１１０５により送信されたプログラムを一時停止するために、電子機器作動回路１１５５へ信号を送り出すことができる。特に、電子機器制御装置１１４０は、電子機器１１０５を動作させるために、電子機器作動回路１１５５に任意の適切な信号を送り出すことができる。
【００７０】
マグネチックイヤホン及びコード保持システム１１００は、信号を送り出して、携帯電話等の電子機器１１０５を作動及び／又は停止できる。例えば、ユーザーの携帯電話が鳴った場合、ユーザーは、イヤホンセット１１５０をイヤホンセットホルダー本体１１０１から取り外し、信号を送り出して、電話に出て、電話を繋ぐことができる。同様に、ユーザーが、通話中で、イヤホンセット１１５０が、イヤホンセットホルダー本体１１０１と結合された場合、信号を送り出し、電話を切って、通話を終了する。同様に、マグネチックイヤホン及びコード保持システム１１００は、信号を送り出して、電子メディアプレーヤーやゲーム装置等の電子機器を開始、再開、又は停止可能である。例えば、ユーザーが、ビデオゲーム、音楽、映画、又はその他のメディアストリームの再生を中断する必要がある場合、電子機器１１０５を一時停止させるために、ユーザーは、イヤホンセット１１５０をイヤホンセットホルダー本体１１０１と結合できる。ユーザーが、電子機器１１０５の使用を再開したいとき、ユーザーは、イヤホンセット１１５０をイヤホンセットホルダー本体１１０１から分離し、信号を送り出して、電子機器１１０５の一時停止を解除できる。このように、ユーザーは、マグネチックイヤホン及びコード保持システム１１００を使用して、電子機器１１０５上で再生されているプログラムやアプリケーションを動作、作動、及び／又は停止させることができる。
【００７１】
幾つかの実施形態では、電子機器制御装置１１４０により電子機器作動回路１１５５に送り出された信号と、電子機器作動回路１１５５により電子機器１１０５に送り出された信号は、赤外線、赤外線レーザー、無線周波数、無線、ＷｉＦｉ、及びブルートゥース（登録商標）の１つ又はそれ以上を含む。しかしながら、電子機器制御装置１１４０と電子機器作動回路１１５５により送り出された信号は、従来から周知の無線信号を含むことができる。代替方法として、幾つかの実施形態では、電子機器制御装置１１４０と電子機器作動回路１１５５により送り出された信号は、有線信号を含む。
【００７２】
図１２Ａ，１２Ｂは、２つの部分で形成されたマグネチックイヤホン及びコード保持システム１２００の側面図である。マグネチックイヤホン及びコード保持システム１２００は、第１の本体１２０１と第２の本体１２０２とを備えている。第１の本体１２０１は、図１１に関して説明したように、イヤホンセットホルダー本体１１０１と実質的に類似しており、ヘッドセットコードを収容し、離脱可能に固定する溝（図示せず）、１つ以上の磁石吸着可能面１１１０、小型イヤホン係合検出器（図示せず）、及び電子機器制御装置（図示せず）を備えている。図１２Ａ、１２Ｂに示すように、第１の本体１２０１は、結合機構１２０３を備え、第２の本体１２０２は、結合機構１２０５を備えている。結合機構１２０３，１２０５により第１の本体１２０１と第２の本体１２０２を一緒に結合可能である。幾つかの実施形態では、結合機構１２０３，１２０５は、スナップ、ボタン、又は面ファスナーシステムを含む。しかしながら、結合機構１２０３，１２０５は、従来から周知の任意の適切な機構を備えることができる。幾つかの実施形態では、第２の本体１２０２は、ボタン、スナップ、ジッパー、又は装飾品を備えている。
【００７３】
図１３は、幾つかの実施形態によるマグネチックイヤホン及びコード保持システム１３００の構成部品の概略図を示す。図１３に示すように、マグネチックイヤホン及びコード保持システム１３００は、小型イヤホン係合検出器１３３０と、電子機器制御装置１３４０、及び電子機器作動回路１３５５とを備えている。上述したように、小型イヤホン係合検出器１３３０は、小型イヤホン１１７５（図１１）と１つ以上の磁石１１１０の係合を検出する。小型イヤホン係合検出器１３３０は、小型イヤホン１１７５の係合状態に基づき、電子機器制御装置１３４０に信号を送り出す。電子機器制御装置１３４０は、小型イヤホン係合検出器１３３０から受け取った信号を処理し、電子機器作動回路１３５５に信号を送り出して、電子機器制御装置１３４０からの信号に応じて、電子機器を動作させる。幾つかの実施形態では、電子機器制御装置１３４０は、電子機器作動回路１３５５に信号を送り出して、電子機器を作動させる。幾つかの実施形態では、電子機器制御装置１３４０は、電子機器作動回路１３５５に信号を送り出して、電子機器を停止させる。
【００７４】
図１４は、幾つかの実施形態によるイヤホンセットの動作方法を示す。
【００７５】
図１４に示すように、ステップ１４０４で、小型イヤホンの係合状態が検出される。幾つかの実施形態では、小型イヤホンが、イヤホンセットホルダー本体と結合されているか否か検出される。そして、小型イヤホンの係合状態に基づき、ステップ１４０６で、信号を送り出して、電子機器を動作させる。幾つかの実施形態では、信号は、赤外線、赤外線レーザー、無線周波数、無線、ＷｉＦｉ、及びブルートゥース（登録商標）の１つ又はそれ以上である。幾つかの実施形態では、この信号は有線信号である。幾つかの実施形態では、この信号は電子機器をオン又はオフにする信号である。
【００７６】
図１５は、さらなる実施形態によるマグネチックイヤホン保持システム１５００を示す。マグネチックイヤホン保持システム１５００は、イヤホンセットホルダー本体１５０１とイヤホンセット１５５０とを備えている。イヤホンセット１５５０は、ｉＰｏｄ，ｉＰｈｏｎｅ，任意のその他の類似携帯電話又はスマートフォン、ＭＰ３プレーヤー又は音楽プレーヤー、ムービープレーヤー、又はその他の電子機器１５０５等の電子機器１５０５から信号を送り出す。当業者に明らかなように、イヤホンセット１５５０は、従来から周知の任意の適切な電子機器１５０５から信号を送り出すことができる。例えば、幾つかの実施形態では、イヤホンセット１５５０は、ｉＰａｄ，スマートフォン、タブレットＰＣ，ＭＰ４プレーヤー、又はＤｉｖＸメディア形式プレーヤー等の電子メディアプレーヤーから信号を送り出す。
【００７７】
イヤホンセットホルダー本体１５０１は、ジッパーつまみの形状をしており、イヤホンセット１５５０の１つ以上の磁石１５８５と着脱可能に結合する１つ以上の磁石吸着可能面１５１０と、電子機器制御装置１５４０とを備えている。幾つかの実施形態では、１つ以上の磁石吸着可能面１５１０は磁石である。これらの実施形態の幾つかでは、磁石はネオジム磁石である。幾つかの実施形態では、イヤホンセットホルダー本体１５０１は、複数の磁石吸着可能面１５１０を備えている。幾つかの実施形態では、イヤホンセットホルダー本体１５０１は、留金、装飾品、バックル接続機構、又は宝飾品を含む本体と、本体に組み込み又は嵌め込まれた磁石とを備えている。幾つかの実施形態では、イヤホンセットホルダー本体１５０１は、図１に関して説明したように、溝を備えている。幾つかの実施形態では、イヤホンセット１５５０は、ハンズフリー電話機アダプタの構成部品である。
【００７８】
イヤホンセット１５５０の１つ以上の磁石１５８５を使用することで、ユーザーは、使用中でないとき、イヤホンセット１５５０をイヤホンセットホルダー本体１５０１の１つ以上の磁石吸着可能面１５１０と結合可能である。１つ以上の磁石吸着可能面１５１０は、イヤホンセットホルダー本体１５０１と固定して又は着脱可能に結合可能である。幾つかの実施形態では、イヤホンセットホルダー本体１５０１は、小型イヤホン１５７５と連結する１つ以上の凹部をさらに備えている。これらの実施形態では、小型イヤホン１５７５の本体は、イヤホンセットホルダー本体１５０１の１つ以上の凹部と圧入又はスナップ嵌めされる。
【００７９】
図１５にさらに示すように、イヤホンセットホルダー本体１５０１は、電子機器制御装置１５４０と、小型イヤホン係合検出器１５３０とを備えている。電子機器制御装置１５４０は、小型イヤホン係合検出器１５３０から信号を受け取り、小型イヤホン係合検出器１５３０から受け取った信号に基づき、電子機器作動回路１５５５に信号を送り出す。電子機器作動回路１５５５は、電子機器制御装置１５４０から受け取った信号に基づき、電子機器１５０５を動作させる。幾つかの実施形態では、小型イヤホン係合検出器１５３０は、電子機器制御装置１５４０に信号を送り出して、１つ以上の磁石１５８５と、小型イヤホン１５７５がイヤホンセットホルダー本体１５０１から分離されていることを通知する。これらの実施形態では、小型イヤホン係合検出器１５３０から信号を受け取ると、電子機器制御装置１５４０は、電子機器作動回路１５５５に信号を送り出して、電子機器１５０５を作動させる。幾つかの実施形態では、小型イヤホン係合検出器１５３０は、電子機器制御装置１５４０に信号を送り出して、１つ以上の磁石１５８５と小型イヤホン１５７５がイヤホンセットホルダー本体１５０１と結合されていることを通知する。これらの実施形態では、小型イヤホン係合検出器１５３０から信号を受け取ると、電子機器制御装置１５４０は、電子機器作動回路１５５５に信号を送り出して、電子機器１５０５を停止させる。
【００８０】
図１５に示すように、小型イヤホン係合検出器１５３０と電子機器制御装置１５４０は、イヤホンセットホルダー本体１５０１の構成部品である。しかしながら、当業者に明らかなように、小型イヤホン係合検出器１５３０と電子機器制御装置１５４０の１つ又はそれ以上は、イヤホンセット１５５０の構成部品であっても良い。
【００８１】
図１６に示すように、幾つかの実施形態では、１つ以上の磁石１６８５は、円形状の本体で、イヤホン１６５０の周囲に嵌め込む磁石吸着可能面を備えている。幾つかの実施形態では、１つ以上の磁石１６８５は、イヤホン１６５０と着脱可能に結合する。これらの実施形態の幾つかでは、磁石吸着可能面１６８５は、伸縮可能で、引き伸ばして、イヤホン１６５０上に取り付けられる。幾つかの実施形態では、磁石吸着可能面１６８５は、磁石吸着可能面１６８５を開放し、イヤホン１６５０の周囲に結合できる蝶番又は結合器を備えている。幾つかの実施形態では、磁石吸着可能面１６８５は、結合器の位置で開放し、イヤホン１６５０の周囲に配置され、スナップ嵌めして所定の位置に戻る。幾つかの実施形態では、磁石吸着可能面１６８５は、磁石吸着可能面１６８５をイヤホン１６５０と着脱可能に結合するために、分離された２つの部分を備えている。特に、磁石吸着可能面１６８５は、従来から周知の任意の適切な機構によりイヤホン１６５０と着脱可能に結合可能である。また、磁石吸着可能面１６８５は、円形状の本体で示したが、磁石吸着可能面１６８５は、イヤホン１６５０と結合する任意の適切な形状を取ることが可能である。図１６にさらに示すように、小型イヤホン係合検出器１６３０と電子機器制御装置１６４０は、イヤホン１６５０の構成部品である。
【００８２】
さらなる実施形態では、小型イヤホン係合検出器１７３０（図１７）は、小型イヤホン１７７５の構成部品であり、別のイヤホンセットホルダー本体１７０１に組み込まれた電子機器制御装置１７４０へ信号を送り出す。
【００８３】
図１７は、さらなる実施形態によるマグネチックイヤホン保持システム１７００を示す。マグネチックイヤホン保持システム１７００は、イヤホンセットホルダー本体１７０１とイヤホンセット１７５０とを備えている。イヤホンセット１７５０は、ｉＰｏｄ，ｉＰｈｏｎｅ，任意のその他の類似携帯電話又はスマートフォン、ＭＰ３プレーヤー又は音楽プレーヤー、ムービープレーヤー、又は他の電子機器１７０５等の電子機器１７０５からの信号を送り出す。当業者に明らかなように、イヤホンセット１７５０は、従来から周知の任意の適切な電子機器１７０５から信号を送り出すことができる。例えば、幾つかの実施形態では、イヤホンセット１７５０は、ｉＰａｄ，スマートフォン、タブレットＰＣ，ＭＰ４プレーヤー、又はＤｉｖＸメディア形式プレーヤー等の電子メディアプレーヤーから信号を送り出す。
【００８４】
上述したように、イヤホンセットホルダー本体１７０１は、ジッパーつまみ、留金、装飾品、バックル接続機構、又は宝飾品、及び本体に組み込み又は嵌め込まれた磁石の形態を取り得、１つ以上の磁石吸着可能面１７１０と電子機器制御装置１７４０とを備えている。図１７に示すように、イヤホンセット１７５０は、１つ以上の磁石１７８５と小型イヤホン係合検出器１７３０とを備えている。幾つかの実施形態では、電子機器制御装置１７４０と小型イヤホン係合検出器１７３０は、イヤホンセットホルダー本体１７０１の構成部品である。代替方法として、幾つかの実施形態では、電子機器制御装置１７４０と小型イヤホン係合検出器１７３０は、イヤホンセット１７５０の構成部品である。
【００８５】
イヤホンセット１７５０の１つ以上の磁石１７８５を用いることで、ユーザーは、使用中でないとき、イヤホンセット１７５０をイヤホンセットホルダー本体１７０１の１つ以上の磁石吸着可能面１７１０と結合可能である。１つ以上の磁石吸着可能面１７１０は、イヤホンセットホルダー本体１７０１に固定して又は着脱可能に接続可能である。幾つかの実施形態では、イヤホンセットホルダー本体１７０１は、小型イヤホン１７７５と連結する１つ以上の凹部をさらに備えている。これらの実施形態では、小型イヤホン１７７５の本体は、イヤホンセットホルダー本体１７０１の１つ以上の凹部と圧入又はスナップ嵌めされる。
【００８６】
電子機器制御装置１７４０は、小型イヤホン係合検出器１７３０からの信号を受け取り、小型イヤホン係合検出器１７３０から受け取った信号に基づき、電子機器作動回路１７５５に信号を送り出す。電子機器作動回路１７５５は、電子機器制御装置１７４０から受け取った信号に基づき電子機器１７０５を動作させる。特に、電子機器制御装置１７４０は、小型イヤホン係合検出器１７３０からの信号を電子機器１７０５に中継する。上述したように、幾つかの実施形態では、電子機器制御装置１７４０から受け取った信号は、電子機器１７０５を作動及び／又は停止させる信号である。
【００８７】
さらなる実施形態では、イヤホンセットホルダー本体１７０１は、反対側の上部に配置された物品又はその他の類似物品を備えている。幾つかの実施形態では、電子機器制御装置１７４０は、外付けドッキングステーション（external docking station）と着脱可能に結合された電子機器１７０５の電子機器作動回路１７５５に信号を送り出すことができる。
【００８８】
幾つかの実施形態では、電子機器制御装置１７４０により電子機器作動回路１７５５に送り出された信号と、電子機器作動回路１７５５により電子機器１７０５に送り出された信号は、赤外線、赤外線レーザー、無線周波数、無線、ＷｉＦｉ、及びブルートゥース（登録商標）の１つ又はそれ以上を含む。しかしながら、電子機器制御装置１７４０と電子機器作動回路１７５５により送り出された信号は、従来から周知の任意の無線信号を含み得る。代替方法として、幾つかの実施形態では、電子機器制御装置１７４０と電子機器作動回路１７５５により送り出された信号は、有線信号を含む。
【００８９】
さらなる実施形態では、イヤホンセット１７５０は、無線イヤホンを含む。これらの実施形態では、イヤホンセット１７５０の係合状態に基づき、小型イヤホン係合検出器１７３０は、電子機器制御装置１７４０に無線信号を送り出し、イヤホンセット１７５０は、電子機器１７０５から無線コンテンツ信号を受け取る。
【００９０】
図１８は、幾つかの実施形態によるマグネチックイヤホン保持システム１８００を示す。このマグネチックイヤホン保持システム１８００は、小型イヤホン１８７５に組み込まれた１つ以上の磁石又は磁石吸着可能面１８８５を有するイヤホンセットと、小型イヤホン１８７５’に組み込まれた１つ以上の磁石又は磁石吸着可能面１８９５とを備えている。図１８に示すように、小型イヤホン１８７５は、小型イヤホン係合検出器１８３０と、小型イヤホン１８７５の本体に組み込まれた電子機器制御装置１８４０とを備えている。当業者に明らかなように、小型イヤホン係合検出器１８３０と電子機器制御装置１８４０は、小型イヤホン１８７５の信号本体（signal body）に組み込まれているが、小型イヤホン係合検出器１８３０と電子機器制御装置１８４０は、異なる小型イヤホンの構成部品であっても良い。
【００９１】
電子機器制御装置１８４０は、小型イヤホン１８７５と小型イヤホン１８７５’の係合状態に基づき、小型イヤホン係合検出器１８３０からの信号を受け取る。幾つかの実施形態では、小型イヤホン係合検出器１８３０は、電子機器制御装置１８４０に信号を送り出して、１つ以上の磁石又は磁石吸着可能面１８８５が、１つ以上の磁石又は磁石吸着可能面１８９５から分離されていることを通知する。これらの実施形態では、小型イヤホン係合検出器１８３０から信号を受け取ると、電子機器制御装置１８４０は、電子機器作動回路１８５５に信号を送り出して、電子機器１８０５を作動させる。幾つかの実施形態では、小型イヤホン係合検出器１８３０は、電子機器制御装置１８４０に信号を送り出して、小型イヤホン１８７５が小型イヤホン１８７５’と結合されていることを通知する。これらの実施形態では、小型イヤホン係合検出器１８３０から信号を受け取ると、電子機器制御装置１８４０は、電子機器作動回路１８５５に信号を送り出して、電子機器１８０５を停止させる。
【００９２】
動作時、イヤホンセットホルダーは、コードが絡まることなく、ユーザーが、イヤホンセットを快適に使用できるようにする。幾つかの実施形態では、ユーザーは、イヤホンセットを使用しながら、イヤホンセットホルダー本体の溝と磁石を用いて電子機器１８０５でプログラムを視聴する。イヤホンを磁石によって引き付け、保持できるように、ユーザーは、イヤホンセットを磁石の近くに配置する。ユーザーが、電子機器１８０５の使用を希望するとき、イヤホンを磁石から取り外し、音楽プレーヤーや携帯電話等の電子機器１８０５を作動させるために、信号を送り出す。ユーザーが、電子機器１８０５の使用をもはや希望しないとき、イヤホンが磁石と再結合されて、電子機器１８０５が停止される。このように、イヤホンは、イヤホンセットホルダー本体から取り外すことができ、電話に出るために、電子機器１８０５は、自動的に作動させる。そして、通話が終了したとき、ユーザーは、イヤホンをイヤホンセットホルダー本体と再結合して、電子機器１８０５を自動的に停止させることができる。代替方法として、イヤホンは、イヤホンセットホルダー本体から取り外すことができ、音楽プレーヤー又は携帯電話から送信された音楽を聴くために、電子機器１８０５が自動的に作動される。イヤホンの使用をもはや希望しないとき、電子機器１８０５を停止させるために、イヤホンは、イヤホンセットホルダー本体と再結合される。
【００９３】
次に、図１９Ａ〜１９Ｅを参照して、ここでマグネチックイヤホン及びコード保持システム１９００の実施形態を示す（以下、コード保持システム１９００とも言う。）。マグネチックイヤホン及びコード保持システム１９００は、タッチセンサー１９０３、オン／オフボタン１９１１、マイクロホン１９１３、スピーカー１９１５、及び充電口１９１７を有するイヤホンセットホルダー本体１９０１を備えている。図１９Ａ〜１９Ｅに示すように、イヤホンセットホルダー本体１９０１は、電子機器制御装置１９４０と、タッチセンサー検出器１９６０も備えている。幾つかの実施形態では、コード保持システム１９００は、イヤホンジャック１９０７、１つ以上の磁石又は磁石吸着可能面１９２０，１９２０’、及び１つ以上の小型イヤホン係合検出器１９３０，１９３０’を備えている。１つ以上の磁石又は磁石吸着可能面１９２０，１９２０’は、イヤホンセット１９５０の１つ以上の磁石１９８５，１９８５’と着脱可能に結合するように構成されている。さらなる実施形態では、上述したように、イヤホンセットホルダー本体１９０１は、イヤホンセット１９５０とコード１９６５を固定する溝及び／又は１つ以上の凹部とを備えている。
【００９４】
幾つかの実施形態では、電子機器制御装置１９４０は、小型イヤホン係合検出器１９３０から信号を受け取り、小型イヤホン係合検出器１９３０から受け取った信号に基づき、電子機器作動回路１９５５に信号を送り出す。電子機器作動回路１９５５は、電子機器制御装置１９４０から受け取った信号に基づき、電子機器１９０５を動作させる。幾つかの実施形態では、小型イヤホン係合検出器１９３０は、電子機器制御装置１９４０に信号を送り出して、１つ以上の磁石１９８５と小型イヤホン１９７５が、イヤホンセットホルダー本体１９０１から分離されていることを通知する。これらの実施形態では、小型イヤホン係合検出器１９３０から信号を受け取ると、電子機器制御装置１９４０は、電子機器作動回路１９５５に信号を送り出して、電子機器１９０５を作動させる。幾つかの実施形態では、小型イヤホン係合検出器１９３０は、電子機器制御装置１９４０に信号を送り出して、１つ以上の磁石１９８５と小型イヤホン１９７５が、イヤホンセットホルダー本体１９０１と結合されていることを通知する。これらの実施形態では、小型イヤホン係合検出器１９３０から信号を受け取ると、電子機器制御装置１９４０は、電子機器作動回路１９５５に信号を送り出して、電子機器１９０５を停止させる。
【００９５】
さらなる実施形態では、タッチセンサー検出器１９６０は、タッチセンサー１９０３との接触に基づき、タッチセンサー１９０３から信号を受け取り、電子機器制御装置１９４０に信号を送り出して、電子機器作動回路１９５５に信号を送り出す。電子機器制御装置１９４０から受け取った信号に基づき、電子機器作動回路１９５５は、電子機器１９０５を動作させる。例えば、幾つかの実施形態では、タッチセンサー検出器１９６０は、電子機器制御装置１９４０に信号を送り出して、タッチセンサー１９０３が、タップ、ダブルタップ、及び／又はスワイプされたことを通知する。応答時、電子機器制御装置１９４０は、電子機器作動回路１９５５に信号を送り出して、電子機器１９０５を動作させる。幾つかの実施形態では、電子機器制御装置１９４０は、信号を送り出して、電子機器を作動／停止、音量を上げる又は下げる、再生媒体を変更、及び／又は電子機器１９０５で再生されているプログラムを変更できる。特に、電子機器制御装置１９４０は、電子機器１９０５に任意の適切な所望の制御信号を送り出すことができる。また、タッチセンサー１９０３は、任意の所望の方法で動作可能である。
【００９６】
幾つかの実施形態では、マグネチックイヤホン及びコード保持システム１９００は、イヤホンセット１９５０と一緒に使用される。これらの幾つかの実施形態では、電源入力１９９５が、イヤホンジャック１９０７に挿入され、１つ以上の磁石１９８５、１９８５’が、１つ以上の磁石又は磁石吸着可能面１９２０，１９２０’と着脱可能に結合される。幾つかの実施形態では、ユーザーは、上述したように、イヤホンセット１９５０を取り外し、電子機器１９０５を作動するために信号を送り出すことができる。イヤホンセット１９５０を耳に装着して、ユーザーは、電子機器１９０５を動作させるために、タッチセンサー１９０３を使用することができる。幾つかの実施形態では、マグネチックイヤホン及びコード保持システム１９００は、イヤホンセット１９５０の短いコードセットと一緒に用いられる。従って、ユーザーの衣服で絡まることなく、イヤホンセットを使用できる。特に、図２０に示すように、イヤホンセットホルダー本体１９０１と結合されたとき、電源入力１９９５とイヤホンセット１９５０は、ぴったりと一緒に保持されるので、イヤホンセット１９５０のコード１９６５は、イヤホンセット１９５０をユーザーの耳に快適に結合するのに十分な長さだけ必要で、ユーザーは、タッチセンサー１９０３及び／又はコード保持システム１９００のイヤホンセットホルダー本体１９０１のマイクロホン１９１３が使用可能になる。
【００９７】
さらなる実施形態では、イヤホンセット１９５０無しに、マグネチックイヤホン及びコード保持システム１９００を使用できる。例えば、電子機器１９０５を作動させるために、タッチセンサー１９０３は、接触されることができる。そして、ユーザーは、電子機器１９０５を動作させるために、タッチセンサー１９０３を使用できる。これらの実施形態では、電話に出て、マイクロホン１９１３とスピーカー１９１５を用いて通話するために、タッチセンサー１９０３を使用できる。そして、通話が終了すると、ユーザーは、タッチセンサー１９０３を用いて、通話を終了し、電子機器１９０５を停止させることができる。また、幾つかの実施形態では、電子機器１９０５上で再生されているプログラムを制御するために、音声を用いることなくコード保持システム１９００とタッチセンサー１９０３を使用する。
【００９８】
マグネチックイヤホン及びコード保持システム１９００を、各種電子機器１９０５と一緒に及び様々な設定で使用できる。例えば、幾つかの実施形態では、コード保持システム１９００は、外付けドッキングステーションと結合した電子機器１９０５と一緒に使用される。さらなる実施形態では、コード保持システム１９００は、電子機器１９０５に搭載されたゲームやプログラム用の制御装置として使用できる。これらの実施形態では、ゲームやプログラムを制御するために、タッチセンサー１９０３を用いて、電子機器１９０５に制御メッセージを送信できる。さらなる実施形態では、コード保持システム１９００は、電子機器１９０５からの信号を受け取ることができる。例えば、幾つかの実施形態では、コード保持システム１９００は、スピーカー１９１５を通して電子機器１９０５からの音声信号を受け取ることができる。また、幾つかの実施形態では、スピーカー１９１５とマイクロホン１９１３は、電子機器１９０５を音声制御するのに用いられる。
【００９９】
幾つかの実施形態では、電子機器制御装置１９４０により電子機器作動回路１９５５に送り出された信号と、電子機器作動回路１９５５により電子機器１９０５に送り出された信号は、赤外線、赤外線レーザー、無線周波数、無線、ＷｉＦｉ、及びブルートゥース（登録商標）の１つ又はそれ以上を含む。しかしながら、電子機器制御装置１９４０と電子機器作動回路１９５５により送り出された信号は、従来から周知の無線信号を含むことができる。代替方法として、幾つかの実施形態では、電子機器制御装置１９４０と電子機器作動回路１９５５により送り出された信号は、有線信号を含む。
【０１００】
図２１は、コード保持システム１９００のイヤホンセットホルダー本体１９０１の構成部品のブロック図を示す。上述したように、イヤホンセットホルダー本体１９０１は、タッチセンサー１９０３、オン／オフボタン１９１１、マイクロホン１９１３、スピーカー１９１５、及び充電口１９１７を備えている。図１９Ａ〜１９Ｅに示すように、イヤホンセットホルダー本体１９０１は、電子機器制御装置１９４０とタッチセンサー検出器１９６０も備えている。幾つかの実施形態では、コード保持システム１９００は、イヤホンジャック１９０７、１つ以上の磁石又は磁石吸着可能面１９２０，１９２０’、及び１つ以上の小型イヤホン係合検出器１９３０，１９３０’を備えている。幾つかの実施形態では、イヤホンセットホルダー本体１９０１は、プリント回路基板１９２３とコード保持システム１９００に電源を供給するバッテリ１９２５とを備えている。幾つかの実施形態では、イヤホンセットホルダー本体１９０１は、イヤホンセットホルダー本体１９０１に電源が投入されたことを示すＬＥＤ光源１９１９をさらに備えている。幾つかの実施形態では、イヤホンジャック１９０７は、３．５ｍｍジャックである。なお、当業者に明らかなように、イヤホンジャック１９０７は、任意の適切な大きさのイヤホンジャックを備えても良い。幾つかの実施形態では、充電口１９１７は、ＵＳＢポートである。なお、充電口１９１７は、任意の適切な大きさの充電口を備えても良い。
【０１０１】
図２２は、幾つかの実施形態によるシャツの襟に着脱可能に結合したコード保持システム１９００を示す。図１９Ａ，１９Ｂに示すように、コード保持システム１９００のイヤホンセットホルダー本体１９０１は、クリップ１９０９を用いてシャツ２２００に結合されている。クリップ１９０９を用いるとき、ユーザーは、イヤホンセットホルダー本体１９０１を使い易い所望の位置に固定できる。当業者に明らかなように、イヤホンセットホルダー本体１９０１は、従来から周知の任意の適切な方法で固定できる。例えば、幾つかの実施形態では、イヤホンセットホルダー本体１９０１を使い易い位置に配置するために、イヤホンセットホルダー本体１９０１は、ユーザーの首の周りに巻かれたストラップと結合される。
【０１０２】
図２３は、幾つかの実施形態によるマグネチックイヤホン及びコード保持システム２３００の構成部品の概略図を示す。図２３に示すように、マグネチックイヤホン及びコード保持システム２３００は、小型イヤホン係合検出器２３３０、電子機器制御装置２３４０、及び電子機器作動回路２３５５を備えている。上述したように、小型イヤホン係合検出器２３３０は、図１９Ａ〜１９Ｅに示すように、小型イヤホンと本体の１つ以上の磁石との係合を検出する。小型イヤホン係合検出器２３３０は、小型イヤホンの係合状態に基づき、電子機器制御装置２３４０に信号を送り出す。電子機器制御装置２３４０は、小型イヤホン係合検出器２３３０から受け取った信号を処理し、電子機器作動回路２３５５に信号を送り出して、電子機器制御装置２３４０からの信号に応じて、電子機器を動作させる。幾つかの実施形態では、電子機器制御装置２３４０は、電子機器作動回路２３５５に信号を送り出して、電子機器を作動させる。幾つかの実施形態では、電子機器制御装置２３４０は、電子機器作動回路２３５５に信号を送り出して、電子機器を停止させる。
【０１０３】
図２３にさらに示すように、マグネチックイヤホン及びコード保持システム２３００は、タッチセンサー検出器２３６０を備えている。タッチセンサー検出器２３６０は、タッチセンサー１９０３（図１９Ａ）の接触を検出して、タッチセンサー１９０３との接触に基づき、電子機器制御装置２３４０に信号を送り出す。電子機器制御装置２３４０は、タッチセンサー検出器２３６０から受け取った信号を処理し、電子機器作動回路２３５５に信号を送り出して、電子機器制御装置２３４０から受け取った信号に基づき電子機器を動作させる。幾つかの実施形態では、電子機器制御装置２３４０は、電子機器作動回路２３５５に信号を送り出し、電子機器を作動／停止、音量を上げる又は下げる、再生媒体を変更、及び／又は電子機器で再生されているプログラムを変更する。
【０１０４】
図２４は、幾つかの実施形態によるタッチセンサーを備えるマグネチックイヤホン及びコード保持システムの動作方法を示す。ステップ２４０４で、タッチセンサーの接触が検出される。例えば、幾つかの実施形態では、タッチセンサーが、タップ、ダブルタップ、及び横方向にスワイプされたこと、及び／又はタッチセンサーが、上下方向にスワイプされたことが検出する。そして、タッチセンサーとの接触に基づき、ステップ２４０６で、信号を送り出して、電子機器を動作させる。幾つかの実施形態では、信号は、赤外線、赤外線レーザー、無線周波数、無線、ＷｉＦｉ、及びブルートゥース（登録商標）の１つ又はそれ以上である。幾つかの実施形態では、信号は有線信号である。幾つかの実施形態では、信号は、電子機器を作動／停止、音量を上げる又は下げる、再生媒体を変更、及び／又は電子機器で再生されているプログラムを変更する信号である。
【０１０５】
マグネチックイヤホン及びコード保持システムにより、ユーザーは電子機器を自動的に作動及び／又は停止させて、イヤホンを使用しているとき及びイヤホンの使用中でないとき、イヤホンを使い易い位置に配置することができる。その結果、マグネチックイヤホン及びコード保持システムは、電子機器を使用しながら、ヘッドセットコードを快適で使い易い位置に保持する安価で簡便な方法を提供する利点を有している。また、マグネチックイヤホン及びコード保持システムは、必要なときにのみ電子機器を確実に作動させることで、電力を節約できる。従って、ここで説明したマグネチックイヤホン及びコード保持システムは、数多くの利点を有している。
【０１０６】
本発明の構成と動作原理の理解を容易にする詳細を含む特定の実施形態に関して、現在の特許請求の範囲の請求項に係る発明を説明した。それ故、特定実施形態とその詳細に対するここでの説明は、添付した特許請求の範囲の限定を意図したものではない。当業者であれば、本発明の精神と範囲から逸脱することなく、例示のために選択した実施形態に変更し得ることは明らかである。
【図１】
2015513387.tif 000003
【図２Ａ】
2015513387.tif 000004
【図２Ｂ】
2015513387.tif 000005
【図３Ａ】
2015513387.tif 000006
【図３Ｂ】
2015513387.tif 000007
【図３Ｃ】
2015513387.tif 000008
【図３Ｄ】
2015513387.tif 000009
【図４】
2015513387.tif 000010
【図５Ａ−５Ｂ】
2015513387.tif 000011
【図５Ｃ−５Ｅ】
2015513387.tif 000012
【図５Ｆ−５Ｇ】
2015513387.tif 000013
【図６Ａ】
2015513387.tif 000014
【図６Ｂ】
2015513387.tif 000015
【図６Ｃ−６Ｄ】
2015513387.tif 000016
【図７Ａ−７Ｂ】
2015513387.tif 000017
【図８Ａ−８Ｂ】
2015513387.tif 000018
【図９】
2015513387.tif 000019
【図１０Ａ−１０Ｂ】
2015513387.tif 000020
【図１１】
2015513387.tif 000021
【図１２Ａ】
2015513387.tif 000022
【図１２Ｂ】
2015513387.tif 000023
【図１５】
2015513387.tif 000024
【図１６】
2015513387.tif 000025
【図１７】
2015513387.tif 000026
【図１８】
2015513387.tif 000027
【図１９Ａ】
2015513387.tif 000028
【図１９Ｂ】
2015513387.tif 000029
【図１９Ｃ】
2015513387.tif 000030
【図１９Ｄ】
2015513387.tif 000031
【図１９Ｅ】
2015513387.tif 000032
【図２０】
2015513387.tif 000033
【図２１】
2015513387.tif 000034
【図２２】
2015513387.tif 000035
【図１３】
2015513387.tif 000036
【図１４】
2015513387.tif 000037
【図２３】
2015513387.tif 000038
【図２４】
2015513387.tif 000039
【国際調査報告】
2015513387.tif 000040
2015513387.tif 000041
2015513387.tif 000042